(57)【要約】  チャンネルシミュレーション装置（１）は、距離計算用パラメータと、受信強度計算用パラメータとを記憶するメモリ（２）と、距離計算用パラメータ及び受信強度計算用パラメータに基づいて希望波受信強度と妨害波受信強度とを推定するプロセッサ（３）とを備える。希望波受信強度は、複数のエリア（４１）から選択される２つのエリアの各組について、一方のエリア（４１ｘ）のワイヤレスマイク（４５）から送信される送信信号を一方のエリア（４１ｘ）内の受信機（４６）が受信するときの受信強度である。妨害波受信強度は、他方のエリア（４１ｙ）のワイヤレスマイク（４５）から送信される送信信号を一方のエリア（４１ｘ）内の受信機（４６）が受信するときの受信強度である。
2016189587.tif 000002
【特許請求の範囲】
【請求項１】
複数のワイヤレスマイクと受信機とが使用される複数のエリアにおいて前記ワイヤレスマイクと前記受信機との間の距離を計算するための距離計算用パラメータと、前記ワイヤレスマイクが送信する送信信号を前記受信機が受信したときの受信強度を推定するための受信強度計算用パラメータとを記憶するメモリと、
前記距離計算用パラメータ及び前記受信強度計算用パラメータに基づいて、前記複数のエリアから選択される２つのエリアの各組について、一方のエリアのワイヤレスマイクから送信される送信信号を前記一方のエリア内の受信機が受信するときの希望波受信強度と、他方のエリアのワイヤレスマイクから送信される送信信号を前記一方のエリア内の前記受信機が受信するときの妨害波受信強度とを推定するプロセッサとを備える、チャンネルシミュレーション装置。
【請求項２】
前記プロセッサは、前記複数のエリアから選択される２つのエリアの各組について、前記希望波受信強度と前記妨害波受信強度との差分に基づき前記２つのエリア間で混信が生じるか否かのチャンネル判定を行う
請求項１に記載のチャンネルシミュレーション装置。
【請求項３】
前記メモリは、所定周波数間隔で設定されるチャンネル群を記憶し、
前記プロセッサは、前記チャンネル判定に基づき、一または複数のエリアに割り当てることができるチャンネルを前記チャンネル群から選択する
請求項２に記載のチャンネルシミュレーション装置。
【請求項４】
ユーザの入力操作を受け付ける入力装置を更に備え、
前記メモリは、所定周波数間隔で設定されるチャンネル群と、前記入力装置で受け付けた入力操作によって入力された情報であって前記複数のエリアのそれぞれに設定されたワイヤレスマイクの個数を示す個数情報とを記憶し、
前記プロセッサは、前記チャンネル判定及び前記個数情報に基づき、前記エリアに割り当てることができるチャンネルを選択する
請求項２に記載のチャンネルシミュレーション装置。
【請求項５】
ユーザの入力操作を受け付ける入力装置を更に備え、
前記メモリは、所定周波数間隔で設定されるチャンネル群を記憶し、
前記プロセッサは、前記入力装置が前記チャンネル群からいずれかのチャンネルを選択する選択操作を受け付けるとき、前記チャンネル判定に基づき、選択されたチャンネルが前記エリアのうちいずれのエリアに割当て可能であるか否かを判定する
請求項２に記載のチャンネルシミュレーション装置。
【請求項６】
ユーザの入力操作に受け付ける入力装置を更に備え、
前記メモリは、所定周波数間隔で設定されるチャンネル群を記憶し、
前記プロセッサは、前記入力装置が前記チャンネル群からいずれかのチャンネルを選択する第１選択操作及び前記複数のエリアの中からいずれかのエリアを選択する第２選択操作を受け付けるとき、前記チャンネル判定に基づき、選択されたチャンネルが選択されたエリアに割当て可能であるか否かを判定する
請求項２に記載のチャンネルシミュレーション装置。
【請求項７】
前記メモリは、前記受信強度計算用パラメータとして、前記ワイヤレスマイクと前記受信機との間の距離に応じた受信強度を導出するための伝播損失パラメータを記憶する
請求項１〜請求項６のいずれか一項に記載のチャンネルシミュレーション装置。
【請求項８】
前記メモリは、前記受信強度計算用パラメータとして、前記送信信号が障害物内を通過するときの前記送信信号の信号強度の減衰量を示す、障害物パラメータを記憶する
請求項１〜請求項７のいずれか一項に記載のチャンネルシミュレーション装置。
【請求項９】
前記メモリは、前記障害物の材質毎に個別に設定された前記障害物パラメータを記憶する
請求項８に記載のチャンネルシミュレーション装置。
【請求項１０】
ユーザの入力操作に受け付ける入力装置を更に備え、
前記プロセッサは、建物のレイアウトを示すレイアウト画像を表示装置に出力し、出力された前記レイアウト画像内で複数のエリア間またはエリア内に配置される障害物の範囲または配置を規定する障害物指定操作を受け付け、前記障害物指定操作により指定された範囲または配置に基づき、前記障害物の範囲または配置を示す障害物配置パラメータを前記受信強度計算用パラメータの一つとして前記メモリに記憶する
請求項１〜請求項９のいずれか一項に記載のチャンネルシミュレーション装置。
【請求項１１】
ユーザの入力操作に受け付ける入力装置を更に備え、
前記プロセッサは、建物のレイアウトを示すレイアウト画像を出力し、出力された画像内で前記複数のエリアの範囲または配置を指定する指定操作を受け付け、前記指定操作により指定された範囲または配置に基づき前記距離計算用パラメータを前記メモリに記憶する
請求項１〜請求項１０のいずれか一項に記載のチャンネルシミュレーション装置。
【請求項１２】
前記プロセッサは、前記希望波受信強度の推定において、一方のエリア内で前記受信機の設置が想定される複数の配置ポイント毎に、前記一方のエリア内の前記ワイヤレスマイクから送信される送信信号を前記受信機が受信するときの受信強度を推定し、推定された複数の受信強度からルールに従って選択された受信強度を前記希望波受信強度として使用し、
前記妨害波受信強度の推定において、一方のエリア内で前記受信機の設置が想定される前記複数の配置ポイント毎に、他方のエリア内の前記ワイヤレスマイクから送信される送信信号を前記受信機が受信するときの受信強度を推定し、推定された複数の受信強度からルールに従って選択された受信強度を前記妨害波受信強度として使用する
請求項１〜請求項１１のいずれか一項に記載のチャンネルシミュレーション装置。
【請求項１３】
前記プロセッサは、前記希望波受信強度の推定において、一方のエリア内で前記ワイヤレスマイクの使用が想定される複数の配置ポイント毎に、前記一方のエリア内の前記受信機が前記ワイヤレスマイクから送信される送信信号を受信するときの受信強度を推定し、推定された複数の受信強度からルールに従って選択された受信強度を前記希望波受信強度として使用し、
前記妨害波受信強度の推定において、一方のエリア内で前記ワイヤレスマイクの使用が想定される複数の配置ポイント毎に、前記他方のエリア内の前記受信機が前記ワイヤレスマイクから送信される送信信号を受信するときの受信強度を推定し、推定された複数の受信強度からルールに従って選択された受信強度を前記妨害波受信強度として使用する
請求項１〜請求項１１のいずれか一項に記載のチャンネルシミュレーション装置。
【請求項１４】
コンピュータに、
メモリから、複数のワイヤレスマイクと受信機とが使用される複数のエリアにおいて前記ワイヤレスマイクと前記受信機との間の距離を計算するための距離計算用パラメータと、前記ワイヤレスマイクが送信する送信信号を前記受信機が受信したときの受信強度を推定するための受信強度計算用パラメータとを読み出させる第１処理と、
前記距離計算用パラメータ及び前記受信強度計算用パラメータに基づいて、前記複数のエリアから選択される２つのエリアの各組について、一方のエリアのワイヤレスマイクから送信される送信信号を前記一方のエリア内の受信機が受信するときの希望波受信強度と、他方のエリアのワイヤレスマイクから送信される送信信号を前記一方のエリア内の前記受信機が受信するときの妨害波受信強度とを推定させる第２処理と、を実行させるためのコンピュータ可読指令を含む、チャンネルシミュレーションプログラム。
【発明の詳細な説明】
【技術分野】
【０００１】
本発明は、ワイヤレスマイクのチャンネルシミュレーション装置及びチャンネルシミュレーションプログラムに関する。
【背景技術】
【０００２】
同じエリア内に配置される複数のワイヤレスマイクにチャンネルを自動的に割り当てる技術が知られている（例えば、特許文献１参照）。この技術では、受信機の親機と子機との間で空きチャンネル情報を共有する。
【先行技術文献】
【特許文献】
【０００３】
【特許文献１】特開２００３−２４４００８号公報
【発明の概要】
【発明が解決しようとする課題】
【０００４】
ところで、複数のエリアそれぞれで複数のワイヤレスマイクを使用する場合、ワイヤレスマイクの使用個数の増大を図るため、異なるエリアで同一または混信の可能性のあるチャンネルを使用する場合がある。しかし、異なるエリアで同一または混信の可能性のあるチャンネルを使用する場合に、混信を生じさせずにまたは実質的に混信が生じることを抑制して、各エリアのワイヤレスマイクに適切なチャンネルを割り当てることは容易ではない。【０００５】
特に、部屋（エリア）の数が増大すると、各ワイヤレスマイクに適切なチャンネルを設定することが難しい。このため、複数のワイヤレスマイクにチャンネルを割り当てる作業については、従来から熟練した技術者がその経験に基づいて行っているのが実情である。【０００６】
本発明はこのような事情に鑑みてなされたものであり、その目的は、ワイヤレスマイクのチャンネルプランを形成することができるチャンネルシミュレーション装置及びチャンネルシミュレーションプログラムを提供することにある。
【課題を解決するための手段】
【０００７】
（１）上記課題を解決するチャンネルシミュレーション装置は、複数のワイヤレスマイクと受信機とが使用される複数のエリアにおいて前記ワイヤレスマイクと前記受信機との間の距離を計算するための距離計算用パラメータと、前記ワイヤレスマイクが送信する送信信号を前記受信機が受信したときの受信強度を推定するための受信強度計算用パラメータとを記憶するメモリと、前記距離計算用パラメータ及び前記受信強度計算用パラメータに基づいて、前記複数のエリアから選択される２つのエリアの各組について、一方のエリアのワイヤレスマイクから送信される送信信号を前記一方のエリア内の受信機が受信するときの希望波受信強度と、他方のエリアのワイヤレスマイクから送信される送信信号を前記一方のエリア内の前記受信機が受信するときの妨害波受信強度とを推定するプロセッサとを備える。【０００８】
このチャンネルシミュレーション装置によれば、複数のエリアから選択される２つのエリアの各組について希望波受信強度と妨害波受信強度とが得られるようになるため、両者の強度差を把握することができる。これにより、熟練した技術者に頼らずとも、ワイヤレスマイクのチャンネルプランを形成することができる。【０００９】
（２）上記チャンネルシミュレーション装置において、前記プロセッサは、前記複数のエリアから選択される２つのエリアの各組について、前記希望波受信強度と前記妨害波受信強度との差分に基づき前記２つのエリア間で混信が生じるか否かのチャンネル判定を行う。ここで、希望波受信強度と妨害波受信強度との差分とは、希望波受信強度と妨害波受信強度とが対数で表されるときの差分を意味する。従って、この差分は、希望波受信強度と妨害波受信強度との比率を意味する。この構成によれば、２つのエリア間で混信が生じるか否かの情報を得ることができるため、使用可能なチャンネル数を増大させながら、ワイヤレスマイクの混信が生じ難いワイヤレスマイクのチャンネルプランを形成することができる。【００１０】
（３）上記チャンネルシミュレーション装置において、前記メモリは、所定周波数間隔で設定されるチャンネル群を記憶し、前記プロセッサは、前記チャンネル判定に基づき、一または複数のエリアに割り当てることができるチャンネルを前記チャンネル群から選択する。この構成によれば、ユーザは、一または複数のエリアに割り当てることができるチャンネルを知ることができる。【００１１】
（４）上記チャンネルシミュレーション装置において、ユーザの入力操作を受け付ける入力装置を更に備え、前記メモリは、所定周波数間隔で設定されるチャンネル群と、前記入力装置で受け付けた入力操作によって入力された情報であって前記複数のエリアのそれぞれに設定されたワイヤレスマイクの個数を示す個数情報とを記憶し、前記プロセッサは、前記チャンネル判定及び前記個数情報に基づき、前記エリアに割り当てることができるチャンネルを選択する。この構成によれば、複数のエリアに割り当てることができるチャンネルは、エリアに設定されたワイヤレスマイクの個数が考慮されたものとなる。【００１２】
（５）上記チャンネルシミュレーション装置において、ユーザの入力操作を受け付ける入力装置を更に備え、前記メモリは、所定周波数間隔で設定されるチャンネル群を記憶し、前記プロセッサは、前記入力装置が前記チャンネル群からいずれかのチャンネルを選択する選択操作を受け付けるとき、前記チャンネル判定に基づき、選択されたチャンネルが前記エリアのうちいずれのエリアに割当て可能であるか否かを判定する。この構成によれば、ユーザは、ユーザが選択したチャンネルについて、複数のエリアのうちいずれのエリアに割当て可能であるか否かを知ることができる。【００１３】
（６）上記チャンネルシミュレーション装置において、ユーザの入力操作に受け付ける入力装置を更に備え、前記メモリは、所定周波数間隔で設定されるチャンネル群を記憶し、前記プロセッサは、前記入力装置が前記チャンネル群からいずれかのチャンネルを選択する第１選択操作及び前記複数のエリアの中からいずれかのエリアを選択する第２選択操作を受け付けるとき、前記チャンネル判定に基づき、選択されたチャンネルが選択されたエリアに割当て可能であるか否かを判定する。この構成によれば、ユーザは、ユーザが選択したチャンネルが、ユーザが選択したエリアに割当て可能であるか否かを知ることができる。【００１４】
（７）上記チャンネルシミュレーション装置において、前記メモリは、前記受信強度計算用パラメータとして、前記ワイヤレスマイクと前記受信機との間の距離に応じた受信強度を導出するための伝播損失パラメータを記憶する。この構成によれば、受信強度計算用パラメータと、ワイヤレスマイクと受信機との間の距離とに基づいて、受信機が送信信号を受けるときの受信強度を簡単に計算することができる。【００１５】
（８）上記チャンネルシミュレーション装置において、前記メモリは、前記受信強度計算用パラメータとして、前記送信信号が障害物内を通過するときの前記送信信号の信号強度の減衰量を示す、障害物パラメータを記憶する。この構成によれば、ワイヤレスマイクの送信信号を受信機が受信するときの受信強度を推定する場合において、ワイヤレスマイクと受信機との間に障害物がある場合に、障害物による送信信号の信号強度の減衰量を簡単に計算することができる。【００１６】
（９）上記チャンネルシミュレーション装置において、前記メモリは、前記障害物の材質毎に個別に設定された前記障害物パラメータを記憶する。この構成によれば、ワイヤレスマイクの送信信号の減衰量が、障害物の材質に基づいて計算される。このため、ワイヤレスマイクの送信信号の減衰量について、計算により求めた減衰量と、実際の減衰量との差が大きく乖離することが少なくなる。【００１７】
（１０）上記チャンネルシミュレーション装置において、ユーザの入力操作に受け付ける入力装置を更に備え、前記プロセッサは、建物のレイアウトを示すレイアウト画像を表示装置に出力し、出力された前記レイアウト画像内で複数のエリア間またはエリア内に配置される障害物の範囲または配置を規定する障害物指定操作を受け付け、前記障害物指定操作により指定された範囲または配置に基づき、前記障害物の範囲または配置を示す障害物配置パラメータを前記受信強度計算用パラメータの一つとして前記メモリに記憶する。この構成によれば、建物のレイアウト画像に対する操作に基づいて障害物配置パラメータが導出されるため、ユーザは、障害物配置パラメータを簡単に設定することができる。【００１８】
（１１）上記チャンネルシミュレーション装置において、ユーザの入力操作に受け付ける入力装置を更に備え、前記プロセッサは、建物のレイアウトを示すレイアウト画像を出力し、出力された画像内で前記複数のエリアの範囲または配置を指定する指定操作を受け付け、前記指定操作により指定された範囲または配置に基づき前記距離計算用パラメータを前記メモリに記憶する。この構成によれば、建物のレイアウト画像に対する操作に基づいて距離計算用パラメータが導出されるため、ユーザは、距離計算用パラメータを簡単に設定することができる。【００１９】
（１２）上記チャンネルシミュレーション装置において、前記プロセッサは、前記希望波受信強度の推定において、一方のエリア内で前記受信機の設置が想定される複数の配置ポイント毎に、前記一方のエリア内の前記ワイヤレスマイクから送信される送信信号を前記受信機が受信するときの受信強度を推定し、推定された複数の受信強度からルールに従って選択された受信強度を前記希望波受信強度として使用し、前記妨害波受信強度の推定において、一方のエリア内で前記受信機の設置が想定される前記複数の配置ポイント毎に、他方のエリア内の前記ワイヤレスマイクから送信される送信信号を前記受信機が受信するときの受信強度を推定し、推定された複数の受信強度からルールに従って選択された受信強度を前記妨害波受信強度として使用する。【００２０】
各エリアを空間上の点と看做して、希望波受信強度と妨害波受信強度とを推定することができる。この場合、希望波受信強度は定数に設定され、妨害波受信強度は２点間の距離に基づいて計算される。この計算によれば、エリアの大きさに関係なく、エリアの配置関係だけで、希望波受信強度と妨害波受信強度との比率が決まる。しかし、実際には、エリアが大きくなる程、ワイヤレスマイクと受信機との間の距離の最大距離は大きくなるため、希望波受信強度の範囲（最小値から最大値までの範囲）及び妨害波受信強度の範囲（最小値から最大値までの範囲）は広がる。【００２１】
上記構成では、エリア内で推定された複数の受信強度のうちのいずれか一つが希望波受信強度として選択される。エリア間で推定された複数の受信強度のうちのいずれか一つが妨害波受信強度として選択される。このように、希望波受信強度及び妨害波受信強度は、いくつかの候補から所定ルールに従って選択される。所定ルールの最適化により、希望波受信強度及び妨害波受信強度が実際の値に近づくように調整され得る。【００２２】
（１３）チャンネルシミュレーション装置において、前記プロセッサは、前記希望波受信強度の推定において、一方のエリア内で前記ワイヤレスマイクの使用が想定される複数の配置ポイント毎に、前記一方のエリア内の前記受信機が前記ワイヤレスマイクから送信される送信信号を受信するときの受信強度を推定し、推定された複数の受信強度からルールに従って選択された受信強度を前記希望波受信強度として使用し、前記妨害波受信強度の推定において、一方のエリア内で前記ワイヤレスマイクの使用が想定される複数の配置ポイント毎に、前記他方のエリア内の前記受信機が前記ワイヤレスマイクから送信される送信信号を受信するときの受信強度を推定し、推定された複数の受信強度からルールに従って選択された受信強度を前記妨害波受信強度として使用する。この構成によっても、上記（１２）に示した理由と同様の理由により、所定ルールの最適化により、希望波受信強度及び妨害波受信強度が実際の値に近づくように調整され得る。【００２３】
（１４）上記チャンネルシミュレーションプログラムにおいて、コンピュータに、メモリから、複数のワイヤレスマイクと受信機とが使用される複数のエリアにおいて前記ワイヤレスマイクと前記受信機との間の距離を計算するための距離計算用パラメータと、前記ワイヤレスマイクが送信する送信信号を前記受信機が受信したときの受信強度を推定するための受信強度計算用パラメータとを読み出させる第１処理と、前記距離計算用パラメータ及び前記受信強度計算用パラメータに基づいて、前記複数のエリアから選択される２つのエリアの各組について、一方のエリアのワイヤレスマイクから送信される送信信号を前記一方のエリア内の受信機が受信するときの希望波受信強度と、他方のエリアのワイヤレスマイクから送信される送信信号を前記一方のエリア内の前記受信機が受信するときの妨害波受信強度とを推定させる第２処理と、を実行させるためのコンピュータ可読指令を含む。【００２４】
このチャンネルシミュレーションプログラムによれば、複数のエリアから選択される２つのエリアの各組について希望波受信強度と妨害波受信強度とが得られるようになるため、両者の強度差を把握することができる。従って、チャンネルシミュレーションプログラムを使用することにより、熟練した技術者に頼らずとも、ワイヤレスマイクのチャンネルプランを形成することができる。
【発明の効果】
【００２５】
上記チャンネルシミュレーション装置及びチャンネルシミュレーションプログラムによれば、希望波受信強度と妨害波受信強度とが得られるようになるため、両者の強度差を把握することができる。これにより、熟練した技術者に頼らずとも、ワイヤレスマイクのチャンネルプランを形成することができる。
【図面の簡単な説明】
【００２６】
【図１】チャンネルシミュレーション装置のブロック図。
【図２】チャンネルシミュレーション装置の他の形態を示す模式図。
【図３】建物の各フロアのレイアウトの一例を示し、（ａ）は１階の、（ｂ）２階の、（ｃ）は３階のレイアウトを示す図。
【図４】図３のＡ−Ａ線に沿う建物の断面図。
【図５】チャンネルシミュレーション装置における各処理の関係を示す図。
【図６】レイアウトの寸法を設定するための画面図。
【図７】各フロアのレイアウトの配置関係を設定するための画面図。
【図８】エリアが設定されたレイアウトを示す画面図。
【図９】仕切壁が設定されたレイアウトを示す画面図。
【図１０】吹き抜けが設定されたレイアウトを示す画面図。
【図１１】ワイヤレスマイクの使用推定範囲を示す画面図。
【図１２】受信機の設置推定範囲を示す画面図。
【図１３】受信機の配置を示す画面図。
【図１４】受信機の配置及び受信機の指向方向を示す画面図。
【図１５】ワイヤレスマイク及び受信機が配置されたレイアウトを示す画面図。
【図１６】希望波受信強度の計算方法を説明するためのエリアの斜視図。
【図１７】妨害波受信強度の計算方法を説明するためのエリアの斜視図。
【図１８】各エリアの希望波受信強度及び各エリア間の妨害波受信強度とを示す表。
【図１９】受信機の設置推定範囲の一例を示す画面図。
【図２０】受信機の設置推定範囲の別の例を示す画面図。
【図２１】受信機の配置の一例において、ワイヤレスマイクの送信方向を示す図。
【図２２】受信機の配置の一例において、ワイヤレスマイクの送信方向を示す図。
【図２３】受信機の配置の一例において、受信機の指向方向とワイヤレスマイクの送信方向を示す図。
【図２４】受信機の配置の一例において、受信機の指向方向とワイヤレスマイクの送信方向を示す図。
【図２５】受信機の配置の一例において、２個の受信機の配置とワイヤレスマイクの送信方向を示す図。
【図２６】受信機の配置の一例において、受信機の指向方向とワイヤレスマイクの送信方向を示す図。
【図２７】各エリアの配置と混信判定処理の結果との関係を示す模式図。
【図２８】混信判定処理の結果の一態様を示す表。
【図２９】混信判定処理の結果の他の態様を示す表。
【図３０】チャンネルとグループとの関係を示す表。
【図３１】チャンネルプランの一例を示す表。
【図３２】チャンネルプランの他の例を示す表。
【図３３】チャンネルプランの他の例を示す表。
【図３４】チャンネルプランの他の例を示す表。
【図３５】チャンネルプランの他の例を示す表。
【図３６】チャンネルプランの他の例を示す表。
【図３７】チャンネルプランの他の例を示す表。
【図３８】（ａ）レイアウトについて、エリアが選択されている状態を示す画面図、（ｂ）選択されたエリアについてのチャンネル表を示す画面図。
【図３９】ワイヤレスマイクを所定のフロアに配置したときの様子を示す図。
【図４０】ワイヤレスマイクの一表示態様を示す図。
【図４１】ワイヤレスマイクを所定のエリアに配置したときの様子を示す図。
【発明を実施するための形態】
【００２７】
図１〜図４１を参照して、本実施形態に係るチャンネルシミュレーション装置を説明する。
チャンネルシミュレーション装置１は、複数のエリア４１それぞれでワイヤレスマイク４５を使う場合において（図４参照）、各エリア４１のワイヤレスマイク４５に対してチャンネルを割り当てる際に使用される。なお、各エリア４１には少なくとも１個の受信機４６が設置されることが前提である。
【００２８】
複数のエリア４１それぞれでワイヤレスマイク４５を使う場合とは、例えば、複数の会場（エリア４１の一形態）や会議室（エリア４１の一形態）がある建物においてワイヤレスマイク４５を使用する場合である。このような状況では、複数のワイヤレスマイク４５を同時に使用する。使用するワイヤレスマイク４５が多くなると、異なるワイヤレスマイク４５に同一チャンネルを割り当てる必要が生じ、このような場合に混信が生じるおそれがある。このため、ワイヤレスマイク４５それぞれに対して適切なチャンネルを割り当てることが必要になる。特に、ワイヤレスマイク４５が使用する無線が届く範囲内に、複数のエリア４１がある場合には、或るエリア４１の受信機４６が他のエリア４１で使用されているワイヤレスマイク４５の送信信号を受信するといったことが生じる。このため、このような混信が発生しないように各エリア４１に対して適切なチャンネルを割り当てる必要がある。なお、エリア４１は、壁に囲われた部屋に限定されるものではない。エリア４１は、使用者により任意に設定される領域である。例えば、運動場の全部が１つのエリア４１に設定される場合、運動場が２つの領域に区分されて各領域が個別のエリア４１として設定される場合がある。
【００２９】
図１に示されるように、チャンネルシミュレーション装置１は、ワイヤレスマイク４５を使用する建物の情報を記憶するメモリ２と、ワイヤレスマイク４５それぞれについてチャンネルを割り当てるプロセッサ３とを有する。
【００３０】
チャンネルシミュレーション装置１は、好ましくは、更に、表示装置２０と、入出力インターフェイス（Ｉ／Ｏ、ＩＦ）とを備える。例えば、チャンネルシミュレーション装置１は、表示装置２０が接続される出力インターフェイス４と、第１入力装置３１が接続される第１入力インターフェイス５と、第２入力装置３２が接続される第２入力インターフェイス６と、第３入力装置３３が接続される第３入力インターフェイス７とを備える。
【００３１】
第１入力装置３１は、マウス等のポインティングデバイスである。第１入力装置３１は、表示装置２０の表示画面２１上でポインタを操作する際に使用される。第１入力装置３１は、ポインタの位置、移動量等の情報を示すポインタ指令を出力する。
【００３２】
第２入力装置３２は、キーボード等のタイピングデバイスであり、数値及び文字情報入力に使用される。第２入力装置３２は、数値を示す数値指定信号及び文字に対応する文字指定信号を出力する。
【００３３】
第３入力装置３３は、建物のレイアウト画像４０ａを取り込むための装置であり、例えば、電子カメラ、スキャナー、複写機、または電子媒体（ＣＤ−Ｒ、ＳＤメモリカード）にアクセスする電子媒体読取装置である。第３入力装置３３は、画像情報を示す画像データを出力する。なお、第３入力装置３３は、直接または通信回線網３４を介してチャンネルシミュレーション装置１に接続される。
【００３４】
表示装置２０は、チャンネルシミュレーション装置１のユーザインターフェイスである。表示装置２０は、チャンネルシミュレーション装置１から出力される各種の表示信号を受信し、表示信号に基づいて表示画面２１にその表示信号に対応する画像を表示する。例えば、表示装置２０は、建物のレイアウト４０の画像を表示装置２０に表示するための信号、後述のスケーラ５０を表示装置２０に表示するための信号、ポインタを表示装置２０に表示するためのポインタ表示信号、アイコンを表示するための信号、チャンネル表６１を表示するための信号、チャンネルプラン６２を表示するための信号等を受信する。そして、これらの信号に対応する画像を表示画面２１に表示する。
【００３５】
なお、図２に示されるように、第１入力装置３１、第２入力装置３２及び表示装置２０は、一体化され得る。例えば、タッチパネル付き表示装置８が、第１入力装置３１、第２入力装置３２及び表示装置２０に代わる装置として用いられ得る。タッチパネル付き表示装置８は、チャンネルシミュレーション装置１のケース９の一部として構成され得る。このようなタブレット形状のチャンネルシミュレーション装置１は、建築現場おいてチャンネルプラン６２（図３１等参照）を作成する際に便利に利用され得る。
【００３６】
メモリ２は、少なくとも、距離計算用パラメータと、受信強度計算用パラメータとを記憶する。
距離計算用パラメータとは、複数のワイヤレスマイク４５と受信機４６とが使用される複数のエリア４１を含む空間において、エリア４１内またはエリア４１間で、ワイヤレスマイク４５と受信機４６との間の距離を計算するための、パラメータである。距離計算用パラメータは、希望派受信強度及び妨害波受信強度の計算において用いられる。具体的には、距離計算用パラメータは、所定の座標空間におけるワイヤレスマイク４５の配置を示す座標パラメータ、所定の座標空間における受信機４６の配置を示す座標パラメータ等である。
【００３７】
受信強度計算用パラメータとは、ワイヤレスマイク４５が送信する送信信号を受信機４６が受信したときの受信強度を推定するためのパラメータである。
受信強度計算用パラメータには、伝播損失パラメータ、指向性パラメータ、障害物パラメータ、及び障害物配置パラメータの少なくとも１つが含まれる。
【００３８】
伝播損失パラメータは、ワイヤレスマイク４５と受信機４６との間の距離に応じた受信強度を導出するためのパラメータである。例えば、伝播損失パラメータは、所定距離毎に設定された値として定義される。例えば、距離１ｍ以上２ｍ未満に対して「Ｘ１」、距離２ｍ以上３ｍ未満に対して「Ｘ２」、距離３ｍ以上４ｍ未満に対して「Ｘ３」というように距離毎に応じた減衰量として設定される。そして、送信信号の初期値と伝播損失パラメータとに基づいて受信強度が推定される。なお、受信強度は、これとは別の方法でも推定され得る。受信強度は、ワイヤレスマイク４５と受信機４６との間の距離と送信信号の初期値とを有する計算式（例えば、距離を変数とする、２次式または指数関数）により、推定され得る。計算式は、障害物が存在しない自由空間上でワイヤレスマイク４５が送信したとき受信機４６が送信信号を受けたときの受信強度を計算するための式である。このような計算式を用いる場合、伝播損失パラメータは、計算式における変数（距離）に対する係数または定数として定義される。
【００３９】
伝播損失パラメータは、受信機４６のアンテナが無指向性である場合にも、受信機４６のアンテナが指向性を有する場合にも、空間伝搬に伴う送信信号の信号強度の減衰量を計算するときに用いられる。
【００４０】
指向性パラメータは、受信機４６が指向性アンテナを有する場合に用いられるパラメータである。
受信機４６が指向性アンテナを有する場合、受信機４６の指向方向から送信信号を受信した場合の受信強度は、無指向性アンテナを有する受信機４６が送信信号を受信する場合（指向性パラメータの説明において、以下、「比較の場合」という。）の受信強度と等しくなる。一方、受信機４６が指向方向以外の方向から送信信号を受信した場合の受信強度は、比較の場合の受信強度よりも弱くなる。このように指向性を有する受信機４６の場合、送信信号を受ける方向によって受信強度が異なることから、メモリ２は、指向性パラメータを記憶する。
【００４１】
指向性パラメータは例えば次のように定義される。指向性パラメータは、指向性を有する受信機４６が送信信号を受ける角度（以下、「受信角度」という。）における、受信強度の減衰量を示す。受信角度は、指向性を有する受信機４６が指向方向から送信信号を受信するときを０度として、定義される。受信強度の減衰量とは、受信角度が０度における受信強度に対する、受信角度が所定角度における受信強度の減衰量（単位ｄＢ）を示す。計算の簡単のため、指向性パラメータは、受信角度が所定角度範囲内（例えば、０度±α度）の角度であるとき、「０」に定義され、受信角度が所定角度以外の角度であるとき、所定値に定義される。或いは、受信強度を精確に計算することを目的として、指向性パラメータは受信角度毎に定義される。
【００４２】
障害物パラメータは、送信信号が障害物内を通過するときの送信信号の信号強度の減衰量を示す。障害物とは、ワイヤレスマイク４５と受信機４６との間に位置する物を示す。障害物は、仕切壁４３等である。送信信号の減衰量は障害物の材質により異なる。このため、障害物パラメータは、障害物の部材毎（コンクリート材、鉄材、ガラス材等）に設定されている。また別の例では、障害物パラメータは、障害物減衰パラメータと、障害物配置パラメータとにより構成される。障害物減衰パラメータは、ワイヤレスマイク４５の送信信号が障害物内を単位距離だけ通過するときの送信信号の信号強度の減衰量（単位ｄＢ）を示す。メモリ２は、障害物を構成する材質それぞれに対応する障害物減衰パラメータを記憶する。
【００４３】
障害物配置パラメータは、障害物の大きさ、形状及び位置を示す範囲パラメータ、またはエリア４１における障害物の配置を示す座標パラメータとして定義される。障害物が予め規定された形状を有する場合、障害物配置パラメータとして障害物の座標が用いられる。ワイヤレスマイク４５の送信信号が障害物を通過するときの送信信号の信号強度の減衰量は、障害物減衰パラメータと障害物配置パラメータとに基づいて計算される。
【００４４】
また、メモリ２は、ワイヤレスマイク４５が使用されるエリア４１を含む建物のレイアウト４０（図３参照）と、エリア４１毎に設定されるワイヤレスマイク４５の希望個数（個数情報）とを記憶する。ワイヤレスマイク４５の希望個数とは、エリア４１において使用されるワイヤレスマイク４５についてユーザが希望するワイヤレスマイク４５の個数を示す。レイアウト４０とは、チャンネルシミュレーション装置１が後述の希望波受信強度及び妨害波受信強度の計算のために使用するレイアウト情報である。レイアウト４０には、建物内におけるエリア４１の大きさ、各エリア４１の配置関係、エリア４１内またはエリア４１間に存在する障害物（電波を減衰させる物、仕切壁４３等）の位置及び大きさ、材質等の情報が含まれる。
【００４５】
図３及び図４を参照してメモリ２が記憶する建物のレイアウト４０の一例を説明する。
図３に示される建物は３階建てである。図３（ａ）は１階のレイアウト４０を、図３（ｂ）は２階のレイアウト４０を、図３（ｃ）は３階のレイアウト４０をそれぞれ示す。図４は図３（ｂ）のＡ−Ａ線に沿う建物の断面図である。図３（ｂ）において、吹き抜け４４は破線で示される。ワイヤレスマイク４５が使用される部屋（エリア４１）は実線で示される。各フロアに設けられているフロア壁４２（図４参照）及び仕切壁４３（図３（ｂ）参照）は斜線のハッチングで示される。各フロアの外形は二点鎖線で示される。
【００４６】
メモリ２は、建物のフロア数（階数）、各フロアの高さ、各フロアにおけるエリア４１の大きさ、及び各フロアのエリア４１の位置を記憶する。具体的には、メモリ２は、エリア４１を構成する頂点の座標を記憶する。なお、エリア４１とは、少なくとも１本のワイヤレスマイク４５及び少なくとも１個の受信機４６が配置される場所を示す。ワイヤレスマイク４５が配置されない部屋はエリア４１として記憶されない。
【００４７】
メモリ２は、障害物の情報として、例えば、各フロアの間がコンクリートのフロア壁４２で仕切られていることを床情報として記憶する。コンクリートのフロア壁４２は、ワイヤレスマイク４５の送信信号を低減させる要因となり、各エリア４１における妨害波受信強度を推定する上で重要なパラメータとなること、及び一般的な建物の構造ではフロア間がコンクリートのフロア壁４２で仕切られていることから、このような床情報がメモリ２に記憶される。他の例では、例えばフロア内に配置されている柱やパーティションも障害物となりうる。
【００４８】
また、好ましくは、メモリ２は、フロアに設置される仕切壁４３、複数のフロアに亘って形成される吹き抜け４４等の位置及び大きさを記憶する。更に、好ましくは、メモリ２は、仕切壁４３の材質を記憶する。
【００４９】
フロアに設置される仕切壁４３はワイヤレスマイク４５の送信信号の強度を減衰させる要因となる。フロア間に吹き抜け４４がある場合、コンクリートのフロア壁４２により構成されている床による送信信号の遮断効果が低減するようになる。このような理由により、フロアに設置される仕切壁４３及び吹き抜け４４の位置及び大きさがメモリ２に記憶される。
【００５０】
また、仕切壁４３の材質によってワイヤレスマイク４５の送信信号の減衰程度が異なる。例えば、鉄は、コンクリートに比べて送信信号を大きく減衰させる。ガラスは、コンクリートに比べて送信信号を減衰させ難い。このようなことから、仕切壁４３の材質がメモリ２に記憶される。
【００５１】
（概要）
図５を参照して、プロセッサ３の動作について説明する。
プロセッサ３は、ユーザの操作に基づいてレイアウト４０を設定する処理（以下「レイアウト設定処理Ｓ１」）を実行する。また、プロセッサ３は、レイアウト４０に関するレイアウト情報、伝播損失パラメータ、指向性パラメータ、障害物パラメータ及び障害物配置パラメータに基づいて、希望波受信強度と妨害波受信強度とを推定する処理（以下、「受信強度推定処理Ｓ２」）を実行する。また、プロセッサ３は、受信強度推定処理Ｓ２の結果に基づいてエリア４１間で混信が生じないか否かを判定する処理（以下、「混信判定処理Ｓ３」）を実行する。また、プロセッサ３は、混信判定処理Ｓ３の結果に基づいて、各エリア４１のワイヤレスマイク４５のそれぞれにチャンネルを自動的に割り当てて、そのチャンネルプランを提案する処理（以下、「自動チャンネルプラン作成処理Ｓ４」）を実行する。また、プロセッサ３は、混信判定処理Ｓ３の結果に基づいて、各エリア４１のワイヤレスマイク４５のそれぞれについてチャンネルの割り当てが可能か否かを判定する処理（以下、「手動チャンネル判定処理Ｓ５」）を実行する。なお、自動チャンネルプラン作成処理Ｓ４を実行するか、手動チャンネル判定処理Ｓ５を実行するかは、ユーザにより選択される。プロセッサ３は、ユーザによる選択操作に基づく入力装置からの信号に基づいて、自動チャンネルプラン作成処理Ｓ４及び手動チャンネル判定処理Ｓ５のいずれかを実行する。
【００５２】
希望波受信強度とは、希望波すなわち、受信するべき送信信号を受信機４６が受信するときの受信強度を示す。具体的には、希望波受信強度は、複数のエリア４１から選択された２つのエリア４１において、着目のエリア４１内（一方のエリア４１内）に配置されているワイヤレスマイク４５から送信される送信信号を、そのエリア４１内（一方のエリア４１内）の受信機４６が受信するときの受信強度を示す。
【００５３】
妨害波受信強度とは、妨害波すなわち、受信するべきではない送信信号を受信機４６が受信するときの受信強度を示す。具体的には、妨害波受信強度は、複数のエリア４１から選択された２つのエリア４１において、着目外のエリア４１（他方のエリア４１）に配置されているワイヤレスマイク４５から送信される送信信号を、着目のエリア４１内（一方のエリア４１内）の受信機４６が受信するときの受信強度を示す。
【００５４】
（Ｓ１：レイアウト設定処理）
図６〜図１５を参照して、レイアウト４０の形成について説明する。
レイアウト設定処理Ｓ１は、受信強度推定処理Ｓ２を実行するためのパラメータを設定するための処理である。
【００５５】
プロセッサ３は、外部から入力されたレイアウト情報に基づいて、希望波受信強度及び妨害波受信強度を計算するためのレイアウト４０を形成する。以下、レイアウト４０の形成について説明する。
【００５６】
プロセッサ３は、レイアウト４０を構築するための各種のモードを有する。プロセッサ３は、各モードで、レイアウト４０の構築に必要な所定の情報を得るために、表示装置２０の表示画面２１に各種のツール（例えば、後述のスケーラ５０、第１入力枠５１、第２入力枠５２等）を表示し、かつ入力を待つ待機状態になる。
【００５７】
図６に示されるように、プロセッサ３は、外部から入力されたレイアウト画像４０ａ（例えば、建物の各フロアの平面図の撮像画像。）の表示信号を出力インターフェイス４に出力し、これにより、レイアウト画像４０ａを表示装置２０の表示画面２１に表示させる。このとき、プロセッサ３は、レイアウト画像４０ａの表示信号とともに、スケーラ５０の表示信号と、スケーラ５０の実寸を入力する第１入力枠５１の表示信号と、天井高さを入力する第２入力枠５２の表示信号とを出力する。スケーラ５０は、第１入力装置３１（マウス等）により伸縮可能であり、レイアウト画像４０ａの所定部位に沿うように配置され得るように構成されている。例えば、プロセッサ３は、スケーラ５０を表示するための表示信号を出力した後、第１入力装置３１が出力するポインタ指令を受信するときは、スケーラ５０を表示するための新たな表示信号を形成し、新たな表示信号を出力する。このようにして、表示装置２０の表示画面２１においてスケーラ５０が伸縮または移動するように表示されるようになる。
【００５８】
第１入力枠５１には、第２入力装置３２により数値が入力され得る。このような入力操作により第２入力装置３２が出力する数値指定信号は、第２入力インターフェイス６により受信される。プロセッサ３は、第２入力インターフェイス６を介して受信した数値指定信号に基づいて、第１入力枠５１に入力された値をスケーラ５０の長さとしてメモリ２に記憶させる。また、プロセッサ３は、第２入力枠５２に入力された値を天井高さとしてメモリ２に記憶させる。これにより、プロセッサ３は、レイアウト画像４０ａと実寸法とを関係付ける。
【００５９】
図７は、各フロアの配置関係を関連付けるための画面図である。
プロセッサ３は、異なるフロア間のレイアウト画像４０ａの配置関係を設定するモードにおいて、表示装置２０の表示画面２１に、２つのレイアウト画像４０ａを出力するとともに、レイアウト画像４０ａ毎に第１位置決めポインタ５３と第２位置決めポインタ５４の組を出力する。第１位置決めポインタ５３及び第２位置決めポインタ５４は、異なるフロア間のレイアウト４０の配置関係を設定するためのポインタである。
【００６０】
第１位置決めポインタ５３及び第２位置決めポインタ５４は、第１入力装置３１により、表示画面２１上で移動可能とされている。例えば、プロセッサ３は、第１入力装置３１から出力されるポインタ指令を受信するとき、ポインタ指令に含まれる指定位置の情報に基づいて、表示装置２０の表示画面２１上で第１位置決めポインタ５３または第２位置決めポインタ５４を移動させるためのポインタ表示信号を出力インターフェイス４から出力する。なお、以下の説明では、２つの異なるフロアにそれぞれ対応するレイアウト画像４０ａを第１のレイアウト画像４０ａ及び第２のレイアウト画像４０ａと呼ぶことがある。
【００６１】
一方の第１位置決めポインタ５３と第２位置決めポインタ５４の組は、第１のレイアウト画像４０ａに配置される。
他方の第１位置決めポインタ５３と第２位置決めポインタ５４の組は、第２のレイアウト画像４０ａに配置される。
【００６２】
プロセッサ３は、第１のレイアウト画像４０ａにおいて設定された第１位置決めポインタ５３と、第２のレイアウト画像４０ａにおいて設定された第１位置決めポインタ５３とが同じＸＹ座標（水平面における座標）にあると看做し、このＸＹ座標をメモリ２に記憶させる。また、プロセッサ３は、第１のレイアウト画像４０ａにおいて設定された第２位置決めポインタ５４と、第２のレイアウト画像４０ａにおいて設定された第２位置決めポインタ５４とが同じＸＹ座標（水平面における座標）にあると看做し、このＸＹ座標をメモリ２に記憶させる。以上のようにして、プロセッサ３は、第１のレイアウト画像４０ａと第２のレイアウト画像４０ａとの配置関係を関連付ける。
【００６３】
図８は、エリア４１が設定されたフロアを示す画面図である。
プロセッサ３は、エリア４１を指定するモード（エリア設定モード）に移行すると、フロアのレイアウト画像４０ａ上に、エリア４１を示す枠（以下、「エリア枠５５」）を表示するための表示信号を出力し、表示信号に基づいて表示装置２０にエリア枠５５を表示させる。エリア枠５５は、第１入力装置３１により、表示画面２１上で移動可能とされ、かつ伸縮可能とされている。プロセッサ３は、ユーザによる第１入力装置３１の操作（指定操作）によってエリア枠５５が配置されたところを、そのフロアにおけるエリア４１としてエリア４１の名称とともにメモリ２に記憶させる。例えば、プロセッサ３は、エリア設定モードにおいて第１入力装置３１が出力するポインタ指令に基づいて、エリア枠５５を移動または拡大縮小させるための表示信号を出力し、第１入力装置３１の入力決定指令に基づいてそのフロアにおけるエリア４１の範囲をメモリ２に記憶させる。なお、エリア４１の名称は、第２入力装置３２により表示画面２１を介して入力可能とされている。
【００６４】
図９は、仕切壁４３が設定されたフロアを示す画面図である。
プロセッサ３は、仕切壁４３を指定するモード（仕切壁設定モード）に移行すると、フロアのレイアウト画像４０ａ上に、仕切壁４３を示す枠（以下、「仕切壁枠５６」）を表示するための表示信号を出力し、表示信号に基づいて表示装置２０に仕切壁枠５６を表示させる。仕切壁枠５６は、第１入力装置３１により、表示画面２１上で移動可能とされ、かつ伸縮可能とされている。プロセッサ３は、ユーザによる第１入力装置３１の操作（障害物指定操作）により仕切壁枠５６が配置されたところを、そのフロアにおける仕切壁４３として仕切壁４３の名称とともにメモリ２に記憶させる。例えば、プロセッサ３は、仕切壁設定モードにおいて第１入力装置３１が出力するポインタ指令に基づいて仕切壁４３を移動または拡大縮小させるための表示信号を出力し、第１入力装置３１の入力決定指令に基づいてそのフロアにおける範囲を仕切壁４３の範囲としてメモリ２に記憶させる。なお、仕切壁４３の名称は、第２入力装置３２により表示画面２１を介して入力可能とされている。
【００６５】
図１０は、吹き抜け４４が設定されたエリア４１を示す画面図である。
プロセッサ３は、吹き抜け４４を指定するモード（吹き抜け設定モード）に移行すると、フロアのレイアウト画像４０ａ上に、吹き抜け４４を示す枠（以下、「吹き抜け枠５７」）を表示するための表示信号を出力し、表示信号に基づいて表示装置２０に吹き抜け枠５７を表示させる。吹き抜け枠５７は、第１入力装置３１により、表示画面２１上で移動可能とされ、かつ伸縮可能とされている。プロセッサ３は、第１入力装置３１により、吹き抜け枠５７が配置されたところを、そのフロアにおける吹き抜け４４として吹き抜け４４の名称とともにメモリ２に記憶させる。例えば、プロセッサ３は、吹き抜け設定モードにおいて第１入力装置３１が出力するポインタ指令に基づいて吹き抜け４４を移動または拡大縮小させるための表示信号を出力し、第１入力装置３１の入力決定指令に基づいてそのフロアにおける範囲を吹き抜け４４の範囲としてメモリ２に記憶させる。なお、吹き抜け４４の名称は、第２入力装置３２により表示画面２１を介して入力可能とされている。
【００６６】
図１１は、エリア４１内においてワイヤレスマイク４５の使用推定範囲４１Ｍを示す画面図である。
プロセッサ３は、ワイヤレスマイク４５の使用推定範囲４１Ｍを設定する使用範囲設定モードを有する。プロセッサ３は、使用範囲設定モードのとき、エリア４１毎にワイヤレスマイク４５の使用推定範囲４１Ｍをメモリ２に記憶させる。この設定は、ワイヤレスマイク４５がエリア４１内において限定された範囲で使用されることが予め想定される場合に使用される。
【００６７】
例えば、ワイヤレスマイク４５が一定の高さ範囲（例えば、ワイヤレスマイク４５の使用範囲が、床から所定高さにある面と床面との間の空間に限定されていること）で使用されることが想定される場合、プロセッサ３は、第２入力装置３２からの入力信号に基づいて、高さ範囲の情報をメモリ２に記憶させる。
【００６８】
また、例えば、エリア４１内の所定範囲（すなわち部屋の一部分で使用すること等）でワイヤレスマイク４５の使用が想定される場合、ユーザに入力に基づいてプロセッサ３は範囲情報を形成し、これの範囲情報をメモリ２に記憶させる。プロセッサ３は、これらの範囲情報を数値入力で受け付け得る。
【００６９】
具体的には、プロセッサ３は、フロアのレイアウト画像４０ａ上に、使用推定範囲４１Ｍを示すエリア枠５５６を表示するための表示信号を出力し、表示信号に基づいて表示装置２０に使用推定範囲４１Ｍを示すエリア枠５５６を表示させる。エリア枠５５６は、第１入力装置３１により、表示画面２１上で移動可能とされ、かつ伸縮可能とされている。例えば、エリア枠５５６の角部を規定するアンカ５５５が、第１入力装置３１により操作されるように構成されている。プロセッサ３は、第１入力装置３１の操作によりアンカ５５５の位置が決定されて第１入力装置３１から入力決定指令が出力されるとき、入力決定指令の受信に基づいて、エリア枠５５６の大きさ及びその位置をワイヤレスマイク４５の使用推定範囲４１Ｍとしてメモリ２に記憶させる。
【００７０】
図１２は、エリア４１内において受信機４６の設置推定範囲４１Ｒを示す画面図である。
プロセッサ３は、受信機４６の設置推定範囲４１Ｒを設定する設置範囲設定モードを有する。プロセッサ３は、設置範囲設定モードのとき、エリア４１毎に受信機４６の設置推定範囲４１Ｒをメモリ２に記憶させる。この設定は、受信機４６の配置位置（エリア４１内の配置ポイントＰＤのうち受信機４６が配置されるポイント。以下同じ。）がエリア４１内の所定範囲に限定されることが予め想定される場合に使用される。
【００７１】
例えば、受信機４６が一定の高さ範囲（例えば、受信機４６の設置範囲が、天井と、天井から所定距離だけ離れた面との間の空間に限定されていること）で設置されることが想定される場合、プロセッサ３は、第２入力装置３２からの入力信号に基づいて、高さ範囲の情報をメモリ２に記憶させる。
【００７２】
具体的には、プロセッサ３は、フロアのレイアウト画像４０ａ上に、設置推定範囲４１Ｒを示すエリア枠６５６を表示するための表示信号を出力し、表示信号に基づいて表示装置２０に設置推定範囲４１Ｒを示すエリア枠６５６を表示させる。
【００７３】
エリア枠６５６は、第１入力装置３１により、表示画面２１上で移動可能とされ、かつ伸縮可能とされている。例えば、エリア枠６５６の角部を規定するアンカ６５５が、第１入力装置３１により操作されるように構成されている。プロセッサ３は、第１入力装置３１の操作によりアンカ６５５の位置が決定されて第１入力装置３１から入力決定指令が出力されるとき、入力決定指令の受信に基づいて、エリア枠６５６の大きさ及びその位置を受信機４６の設置推定範囲４１Ｒとしてメモリ２に記憶させる。
【００７４】
図１３は、受信機４６が所定位置に配置されたエリア４１を示す画面図である。
受信機４６はワイヤレスマイク４５とは違って、通常、ユーザが受信機４６を手に持って歩き回ることはない。受信機４６は一般的に壁や天井に常設されることが想定される。このようことが予め分かっている場合、受信機４６の個数と配置位置とがエリア４１内で設定されることが好ましい。具体的には、プロセッサ３は、受信機４６のアイコン（以下、「レシーバアイコン５９」という。）を表示するための表示信号を表示装置２０に出力する。このため、ユーザは、受信機４６の個数と配置位置の設定を視覚的に行うことができる。
【００７５】
図１４は、受信機４６が所定位置に配置されてかつ受信機４６の指向方向が設定されたエリア４１を示す画面図である。
受信機４６には、指向性を有するものと、指向性を有しないものとがある。このため、受信機４６毎に指向性の有無が設定される。
【００７６】
受信機４６が指向性を有する場合、指向性の設定にあわせて指向性の向き（以下、「指向方向」）を示す指向性パラメータがメモリ２に記憶されることが好ましい。
プロセッサ３は、受信機４６の指向方向を表示するための表示信号を表示装置２０に出力する。表示装置２０は、受信機４６の指向方向を表示するための表示信号に基づいて、指向方向を示す矢印アイコン６０を表示する。矢印アイコン６０は、第１入力装置３１によりその方向が変更され得る。これにより、受信機４６の指向性は、表示装置２０の表示画面２１上で設定され得る。例えば、表示画面２１上で、受信機４６が選択されたとき、矢印アイコン６０がレシーバアイコン５９にあわせて表示される。ユーザは、矢印アイコン６０を回転させることが可能である。プロセッサ３は、矢印アイコン６０の向きの決定を示す入力決定指令を受信するとき、そのときの矢印アイコン６０の向きを受信機４６の指向方向としてメモリ２に記憶させる。
【００７７】
図１５は、エリア４１内にワイヤレスマイク４５の希望個数が設定されかつ受信機４６が配置されたときのフロアを示す画面図である。
プロセッサ３は、ワイヤレスマイク４５の希望個数及び受信機４６の配置を指定するモード（配置モード）に移行すると、フロアのレイアウト画像４０ａ上に、ワイヤレスマイク４５及び受信機４６を表示するための表示信号を出力し、表示信号に基づいて表示装置２０にワイヤレスマイク４５のアイコン（以下、「マイクアイコン５８」という。）及びレシーバアイコン５９を表示させる。具体的には、プロセッサ３は、エリア４１に設定されたワイヤレスマイク４５の希望個数と等しい個数のマイクアイコン５８を表示するための表示信号を出力インターフェイス４から出力し、当該個数のマイクアイコン５８を表示装置２０に表示させる。なお、マイクアイコン５８の表示形態は、ワイヤレスマイク４５にチャンネルが割り当てられる前と、ワイヤレスマイク４５にチャンネルが割り当てられた後とで異なる。これにより、ワイヤレスマイク４５にチャンネルが割り当てられているか否かについて、ユーザは、表示画面２１から簡単に確認することができる。
【００７８】
プロセッサ３は、エリア４１で使用されるワイヤレスマイク４５の個数を設定する設定機能を有するように、構成され得る。
例えば、初期状態ではエリア４１のワイヤレスマイク４５の個数は０本に設定される。表示画面２１には、各チャンネルに対応するマイクアイコン５８の群が表示されて、マイクアイコン５８の群から所定のマイクアイコン５８が第１入力装置３１により選択可能かつ表示画面２１上で移動可能とされる。そして、プロセッサ３は、第１入力装置３１により、マイクアイコン５８が所定のエリア４１内に配置されたとき、エリア４１に使用されるワイヤレスマイク４５の個数を１本増加させる。このように、マイクアイコン５８の操作により、そのエリア４１で使用されるワイヤレスマイク４５の個数が設定される。
【００７９】
レシーバアイコン５９は、第１入力装置３１により、表示画面２１上で移動可能とされる。プロセッサ３は、第１入力装置３１によりレシーバアイコン５９が所定のエリア４１に配置されたとき、そのエリア４１に受信機４６が配置されたということをメモリ２に記憶させる。最初の設定では、エリア４１内における受信機４６の配置は限定されず、例えば２７箇所のいずれかに配置されることが前提となっている。なお、上述に示したように、受信機４６の配置範囲はエリア４１内で制限され得る（図１２参照）。また、上述のように、レシーバアイコン５９の配置操作により、エリア４１内において受信機４６は所定の場所に配置され得る（図１３参照）。更に、受信機４６の指向方向が設定され得る（図１４参照）。受信機４６の配置及び指向方向は第１入力装置３１により表示画面２１上で操作され得る。受信機４６の指向方向の情報は、希望波受信強度の推定及び妨害波受信強度の推定のパラメータとして用いられ得る。
【００８０】
（Ｓ２：受信強度推定処理）
受信強度推定処理Ｓ２について説明する。
受信強度推定処理Ｓ２は、レイアウト設定処理Ｓ１で設定してメモリ２に保持されているパラメータと、予めメモリ２に記憶されている伝播損失パラメータ、指向性パラメータ、障害物パラメータ及び障害物配置パラメータとを用いて、各エリア４１間での同一又は隣接チャンネルにおける受信強度を推定する。
【００８１】
受信強度推定処理Ｓ２では、全エリア４１から選択された２つのエリア４１において計算対象エリア４１ｘにおける、希望波受信強度と妨害波受信強度とを計算する。なお、「計算対象エリア４１ｘ」とは、２つのエリア４１のうちの一方のエリア４１（上述の着目のエリア４１）を示す。計算対象エリア４１ｘは、選択された２つのエリア４１から任意に選択され得る。
【００８２】
（受信強度推定処理Ｓ２の実施形態１：エリア４１内のワイヤレスマイク４５の使用推定範囲４１Ｍや受信機４６の推定設置範囲４１Ｒが設定されていない場合）
図１６を参照して、希望波受信強度について説明する。
【００８３】
希望波受信強度は、計算対象エリア４１ｘ内の受信機４６が、計算対象エリア４１ｘ内に配置されているワイヤレスマイク４５から送信される送信信号を受信するときの受信強度を示すものである。ところで、受信強度は、受信機４６とワイヤレスマイク４５との離間距離ＬＡによって異なる。
【００８４】
計算対象エリア４１ｘは、例えば、上下方向に３つに等分割、水平横方向に３つに等分割、水平縦方向（水平横方向に垂直な方向）に３つに等分割される。すなわち、計算対象エリア４１ｘは２７分割される。２７分割の各小エリアの中心点に配置ポイントＰＤが設けられる。計算上において、受信機４６及びワイヤレスマイク４５はいずれかの配置ポイントＰＤに配置される。
【００８５】
プロセッサ３は、受信機４６の２７通りの配置とワイヤレスマイク４５の２７通りの配置との全ての組み合わせについて、受信強度を計算する。
プロセッサ３は、所定の組み合わせの受信強度について次のように計算する。プロセッサ３は、受信機４６を、２７個の配置ポイントＰＤから選択された所定の位置に配置し、ワイヤレスマイク４５を、２７個の配置ポイントＰＤから選択された所定の位置に配置する。そして、プロセッサ３は、受信機４６の配置、ワイヤレスマイク４５の配置、及び建物のレイアウト情報に基づいて受信機４６とワイヤレスマイク４５との間の離間距離ＬＡを計算する。そして、プロセッサ３は、予め記憶されている受信強度計算用パラメータと離間距離ＬＡとに基づいて受信強度を得る。
【００８６】
プロセッサ３は、受信機４６の２７通りの配置とワイヤレスマイク４５の２７通りの配置との全ての組み合わせ（２７×２７通り）について、受信強度を計算する。
また、エリア４１内に柱やパーティション等の障害物が設定されている場合、この障害物に応じた減衰量を計算し、受信強度計算用パラメータと離間距離ＬＡとに基づいて計算された受信強度をこの減衰量を基づいて補正してもよい。
【００８７】
図１７を参照して、妨害波受信強度について説明する。
妨害波受信強度は、計算対象エリア４１ｘ内の受信機４６が、計算対象エリア４１ｘとは別の他方のエリア４１ｙに配置されているワイヤレスマイク４５から送信される送信信号を受信するときの受信強度を示す。受信強度は、受信機４６とワイヤレスマイク４５との離間距離ＬＡによって異なる。
【００８８】
妨害波受信強度の計算方法の一例を説明する。
妨害波受信強度の計算では、計算対象エリア４１ｘとは別の他方のエリア４１ｙは、上下方向に３つに等分割、水平横方向に３つに等分割、水平縦方向（水平横方向に垂直な方向）に３つに等分割される。すなわち、エリア４１ｙは２７分割される。２７分割の各小エリアの中心点に配置ポイントＰＤが設けられる。計算上において、ワイヤレスマイク４５は配置ポイントＰＤに配置される。
【００８９】
プロセッサ３は、計算対象エリア４１ｘの受信機４６の２７通りの配置と、計算対象エリア４１ｘとは別の他方のエリア４１ｙにおけるワイヤレスマイク４５の２７通りの配置との全ての組み合わせについて、受信強度を計算する。すなわち、プロセッサ３は、受信機４６の２７通りの配置とワイヤレスマイク４５との組み合わせ（２７×２７通り）について、受信強度を計算する。
【００９０】
プロセッサ３は、所定の組み合わせの受信強度について次のように計算する。プロセッサ３は、計算対象エリア４１ｘの受信機４６を、２７個の配置ポイントＰＤから選択された所定の位置に配置する。一方、計算対象エリア４１ｘとは別の他方のエリア４１ｙのワイヤレスマイク４５を、２７個の配置ポイントＰＤから選択された所定の位置に配置する。そして、プロセッサ３は、受信機４６の配置、ワイヤレスマイク４５の配置、及び建物のレイアウト情報に基づいて受信機４６とワイヤレスマイク４５との間の離間距離ＬＡを計算する。また、プロセッサ３は、受信機４６とワイヤレスマイク４５との間に吹き抜け４４または仕切壁４３があるか否かを判定する。そして、プロセッサ３は、受信強度計算用パラメータと離間距離ＬＡとに基づいて受信強度を計算する。受信機４６とワイヤレスマイク４５との間に仕切壁４３または床等の障害物がある場合には、プロセッサ３は、障害物による減衰量を計算し、この減衰量に基づいて受信強度を補正する。例えば、プロセッサ３は、仕切壁４３の大きさを示す障害物配置パラメータ及び仕切壁４３の材質の遮蔽程度を示す障害物減衰パラメータに基づいてその障害物による受信強度の減衰量を計算する。そして、プロセッサ３は、受信強度計算用パラメータと離間距離ＬＡとに基づいて計算された受信強度から、障害物配置パラメータ及び障害物減衰パラメータに基づいて計算される減衰量を差し引き、こうして得た値を受信強度としてメモリ２に記憶させる。
【００９１】
なお、プロセッサ３は、次の処理をも含み得る。プロセッサ３は、仕切壁４３及びフロア壁４２での反射の影響（送信信号の減衰）に基づいて、減衰量を計算する。例えば、プロセッサ３は、受信強度を計算する際、仕切壁４３及びフロア壁４２での反射の程度を示す反射パラメータに基づいて減衰量または増大量を計算する。
【００９２】
図１８は、各エリア４１の希望波受信強度（Ｄ）及び各エリア４１間の妨害波受信強度（Ｕ）を示す表である。この表は、エリアＡ１，エリアＡ２及びエリアＡ３を含む建物についての例である。以上の処理により、エリア４１毎に、エリア４１内でワイヤレスマイク４５の使用が想定される２７箇所と、エリア４１内で受信機４６の設置が想定される２７箇所とに応じた７２９通りの希望波受信強度（Ｄ）及び妨害波受信強度（Ｕ）が、図１８に示されるように算出される。第１行第１列の欄（エリアＡ１，エリアＡ１）は、エリアＡ１内における希望波受信強度（Ｄ）を示す。第１行第２列の欄（エリアＡ１，エリアＡ２）は、エリアＡ１に受信機４６が配置されてかつエリアＡ２にワイヤレスマイク４５が配置される場合であってエリアＡ２のワイヤレスマイク４５から送信される送信信号をエリアＡ１の受信機４６が受信するときの妨害波受信強度（Ｕ）を示す。これ以外の欄もこれらと同様である。
【００９３】
（受信強度推定処理Ｓ２の実施形態２：エリア４１内のワイヤレスマイク４５の使用推定範囲及び受信機４６の設置推定範囲が設定されている場合）
ワイヤレスマイク４５の使用推定範囲が設定される場合、ワイヤレスマイク４５の配置として選択される箇所は、２７箇所ではなく使用推定範囲に含まれる箇所に制限される。例えば、エリア４１内の１／３（面積比で１／３）がワイヤレスマイク４５の使用推定範囲として設定された場合、ワイヤレスマイク４５が配置し得るところは、２７通りの１／３の９通りになる。受信機４６の設置推定範囲についても同様に考えられる。
【００９４】
例えば、図１９に示されるように、２つのエリア４１Ａ，４１Ｂのうち一方のエリア４１Ａに、ワイヤレスマイク４５の使用推定範囲４１ＡＭが設定され（エリア４１Ａの全体範囲の１／３の範囲）、他方のエリア４１Ｂに、受信機４６の設置推定範囲４１ＢＲが設定される（エリア４１Ｂの全体範囲の１／３の範囲）場合、希望波受信強度と妨害波受信強度の計算は次のようになる。
【００９５】
エリア４１Ａ内の希望波受信強度は、次の通りである。エリア４１Ａの使用推定範囲４１ＡＭでの使用が想定されるワイヤレスマイク４５の配置は９通り、エリア４１Ａ内で設置が想定される受信機４６の配置は２７通りあるため、エリア４１Ａの希望波受信強度は、９×２７通り（すなわち２４３通り）のそれぞれにおいて計算される。
【００９６】
エリア４１Ｂの希望波受信強度は、次の通りである。エリア４１Ｂ内での使用が想定されるワイヤレスマイク４５の配置は２７通り、エリア４１Ｂの設置推定範囲４１ＢＲで設置が想定される受信機４６の配置は９通りあるため、エリア４１Ｂの希望波受信強度は、９×２７通り（すなわち２４３通り）のそれぞれにおいて計算される。
【００９７】
エリア４１Ａとエリア４１Ｂとの間においてエリア４１Ａの受信機４６が受信する信号の妨害波受信強度は、次の通りである。エリア４１Ｂ内で使用が想定されるワイヤレスマイク４５の配置は２７通り、エリア４１Ａ内で設置が想定される受信機４６の配置は２７通りであるため、エリア４１Ａの受信機４６が受信する信号の妨害波受信強度は、２７×２７通り（すなわち７２９通り）のそれぞれにおいて計算される。
【００９８】
なお、エリア４１Ａとエリア４１Ｂとの間においてエリア４１Ｂの受信機４６が受信する信号の妨害波受信強度は、エリア４１Ａ内で使用が想定されるワイヤレスマイク４５の配置（９通り）と、エリア４１Ｂ内で設置が想定される受信機４６の配置（９通り）とに基づいて、８１通り計算される。これらは、上記の２７×２７通りの計算パターンに含まれるため、これらの計算は省略可能である。
【００９９】
図２０は、受信機４６の設置推定範囲の他の設定例である。
この例では、図２０に示されるように、２つのエリア４１Ａ，４１Ｂのうち一方のエリア４１Ａでは、ワイヤレスマイク４５の使用推定範囲４１ＡＭ（エリア４１Ａの全体範囲の１／３とする）が設定され、受信機４６の設置推定範囲４１ＡＲ（エリア４１Ａの全体範囲の１／３とする）が設定されている。
【０１００】
他方のエリア４１Ｂでは、ワイヤレスマイク４５の使用推定範囲４１ＢＭ（エリア４１Ｂの全体範囲の１／３の範囲）が設定され、受信機４６の設置推定範囲４１ＢＲ（エリア４１Ｂの全体範囲の１／３の範囲）が設定されている。
【０１０１】
エリア４１Ａ内の希望波受信強度は、次の通りである。エリア４１Ａの使用推定範囲４１ＡＭでの使用が想定されるワイヤレスマイク４５の配置は９通り、エリア４１Ａの設置推定範囲４１ＡＲで設置が想定される受信機４６の配置は９通りあるため、エリア４１Ａの希望波受信強度は、９×９通り（すなわち８１通り）のそれぞれにおいて計算される。エリア４１Ｂの希望波受信強度は、同様の計算により、９×９通り（すなわち８１通り）のそれぞれで計算される。
【０１０２】
エリア４１Ａとエリア４１Ｂとの間においてエリア４１Ａの受信機４６が受信する信号の妨害波受信強度は、次のように計算される。エリア４１Ｂ内の使用推定範囲４１ＢＭで使用が想定されるワイヤレスマイク４５の配置は９通り、エリア４１Ａ内の設置推定範囲４１ＡＲで設置が想定される受信機４６の配置は９通りであるため、エリア４１Ａの受信機４６が受信する信号の妨害波受信強度は、９×９通り（すなわち８１通り）のそれぞれにおいて計算される。
【０１０３】
エリア４１Ａとエリア４１Ｂとの間においてエリア４１Ｂの受信機４６が受信する信号の妨害波受信強度は、次のように計算される。エリア４１Ａ内の使用推定範囲４１ＡＭで使用が想定されるワイヤレスマイク４５の配置は９通り、エリア４１Ｂ内の設置推定範囲４１ＢＲで設置が想定される受信機４６の配置は９通りであるため、エリア４１Ｂの受信機４６が受信する信号の妨害波受信強度は、９×９通り（すなわち８１通り）のそれぞれにおいて計算される。
【０１０４】
以上のように、ワイヤレスマイク４５の使用推定範囲４１ＡＭ，４１ＢＭ及び受信機４６の設置推定範囲４１ＡＲ，４１ＢＲのいずれか一方が設定されていると、ワイヤレスマイク４５及び受信機４６の配置として選択される得るパターンの個数が制限されるようになる。このため、希望波受信強度及び妨害波受信強度を導出するために必要となる計算の回数が少なくなる。これにより、プロセッサ３の負担が軽減され、またはプロセッサ３の計算により所定の結果を導き出すまでの要する時間が短縮されるようになる。
【０１０５】
（受信強度推定処理Ｓ２の実施形態３：受信機４６の配置位置が設定される場合）
図１３に示されるように、受信機４６の配置位置について、高さ方向では位置が設定されずかつ平面上においては位置が設定される場合、希望波受信強度及び妨害波受信強度は次のように計算される。
【０１０６】
エリア４１Ａ内の希望波受信強度は次のように計算される。エリア４１Ａ内で使用が想定されるワイヤレスマイク４５の配置は２７通り、エリア４１Ａ内で設置が想定される受信機４６の配置は３通りであるため、エリア４１Ａにおける希望波受信強度は、２７×３通り（すなわち８１通り）のそれぞれにおいて計算される。
【０１０７】
なお、受信機４６の配置位置が平面上の位置だけでなく高さ位置についても設定されている場合は、受信機４６の配置位置の選択数は１通りになる。この場合、希望波受信強度は、２７×１通り（すなわち２７通り）のそれぞれにおいて計算される。
【０１０８】
エリア４１Ｂ内の希望波受信強度は、エリア４１Ａの場合と同様、ワイヤレスマイク４５の配置の選択数は２７通りであり、受信機４６の配置の選択数は３通りであるため、希望波受信強度は、２７×１通り（すなわち２７通り）のそれぞれにおいて計算される。なお、受信機４６の配置位置が平面上の位置だけでなく高さ位置についても設定されている場合は、受信機４６の配置位置の選択数は１通りになる。この場合、希望波受信強度は、２７×１通り（すなわち２７通り）のそれぞれにおいて計算される。
【０１０９】
エリア４１Ａとエリア４１Ｂとの間においてエリア４１Ａの受信機４６が受信する信号の妨害波受信強度は、次のように計算される。エリア４１Ｂ内で使用が想定されるワイヤレスマイク４５の配置は２７通り、エリア４１Ａ内で設置が想定される受信機４６の配置は３通りであるため、エリア４１Ａにおける妨害波受信強度は、２７×３通り（すなわち８１通り）のそれぞれにおいて計算される。なお、受信機４６の配置位置が平面上の位置だけでなく高さ位置についても設定されている場合は、受信機４６の配置位置の選択数は１通りになる。この場合、妨害波受信強度は、２７×１通り（すなわち２７通り）のそれぞれにおいて計算される。
【０１１０】
エリア４１Ａとエリア４１Ｂとの間におけるエリア４１Ｂの受信機４６が受信する信号の妨害波受信強度は、次のように計算される。エリア４１Ａ内で使用が想定されるワイヤレスマイク４５の配置は２７通り、エリア４１Ｂ内で設置が想定される受信機４６の配置は３通りであるため、エリア４１Ｂにおける妨害波受信強度は、２７×３通り（すなわち８１通り）のそれぞれにおいて計算される。なお、受信機４６の配置位置が平面上の位置だけでなく高さ位置についても設定されている場合は、受信機４６の配置位置の選択数は１通りになるため、妨害波受信強度は、２７×１通り（すなわち２７通り）のそれぞれにおいて計算される。
【０１１１】
なお、エリア４１Ａ内及びエリア４１Ｂ内の少なくとも一方に複数の受信機４６が設置される場合、複数の受信機４６それぞれについて、上述と同様にワイヤレスマイク４５の配置と受信機４６の配置との組み合わせ毎に希望波受信強度及び妨害波受信強度が計算される。
【０１１２】
（受信強度推定処理Ｓ２の実施形態４：受信機４６について指向性が設定される場合）
図１４に示されるように、受信機４６について指向方向が設定されている場合、希望波受信強度及び妨害波受信強度の計算において、指向性パラメータが使用される。
【０１１３】
例えば、２７通りの配置位置のうちの一箇所に受信機４６が配置されて、かつ受信機４６の指向方向が設定されている場合、ワイヤレスマイク４５の配置が２７通りであることから、希望波受信強度は２７通り計算される。この２７通りの計算において、受信機４６の指向方向に合致する方向からワイヤレスマイク４５の送信信号が伝播すると考えられる組み合わせについては、指向性アンテナが設定されていない受信機４６の場合と同様に計算される。一方、上記の２７通りの計算において、受信機４６の指向方向に合致する方向以外の方向からワイヤレスマイク４５の送信信号が伝播すると考えられる組み合わせについては、指向性パラメータが使用される。
【０１１４】
図２１〜図２４を参照して、受信機４６の指向性を考慮した希望波受信強度及び妨害波受信強度の計算方法について説明する。図２１〜図２４は、ワイヤレスマイク４５の送信方向を矢印で示した図である。矢印の向きは、配置位置の配置されたワイヤレスマイク４５から全方位に向かって送信される送信信号のうちで、受信機４６に最も受信され易いと推定される送信方向（以下、「受信寄与送信方向」）を示す。
【０１１５】
図２１は、指向性を有する受信機４６が配置されているエリア４１Ａにおいて希望波受信強度を計算するための模式図である。
図２１では、エリア４１Ａの右上の配置位置に受信機４６を示すレシーバアイコン５９が配置されている。受信機４６の指向方向は、図２１において下に向く（破線矢印参照）。この場合、エリア４１Ａの右側の９箇所の配置位置（高さ方向に異なる配置を含む）に配置されるワイヤレスマイク４５それぞれの送信方向（受信寄与送信方向）は、受信機４６の指向方向に合致する。このため、これらのワイヤレスマイク４５の配置位置と受信機４６の配置位置との組み合わせについては、指向性パラメータが使用されずに希望波受信強度が計算される。すなわち、エリア４１Ａにおいて希望波受信強度が計算される場合、２７通り（２７×１通り）の計算のうち９通りについては、指向性パラメータが使用されずに希望波受信強度が計算され、２７通り（２７×１通り）の計算のうち１８通りについては、指向性パラメータが使用されて希望波受信強度が計算される。
【０１１６】
図２２は、指向性を有する受信機４６が配置されているエリア４１Ｂにおいて希望波受信強度を計算するための模式図である。
図２２では、エリア４１Ｂの右下の配置位置に受信機４６を示すレシーバアイコン５９が配置されている。受信機４６の指向方向は、図２２において左に向く（破線矢印参照）。この場合、エリア４１Ｂの下側の９箇所の配置位置（高さ方向に異なる配置を含む）に配置されるワイヤレスマイク４５それぞれの送信方向（受信寄与送信方向）は、受信機４６の指向方向に合致する。このため、これらのワイヤレスマイク４５の配置位置と受信機４６の配置位置との組み合わせについては、指向性パラメータが使用されずに希望波受信強度が計算される。すなわち、エリア４１Ｂにおいて希望波受信強度が計算される場合、２７通り（２７×１通り）の計算のうち９通りについては、指向性パラメータが使用されずに希望波受信強度が計算され、２７通り（２７×１通り）の計算のうち１８通りについては、指向性パラメータが使用されて希望波受信強度が計算される。
【０１１７】
図２３は、指向性を有する受信機４６が配置されているエリア４１Ｂにおいて、エリア４１Ａとエリア４１Ｂとの間におけるエリア４１Ｂの受信機４６が受信する信号の妨害波受信強度を計算するための模式図である。
【０１１８】
図２３では、エリア４１Ｂの右下の配置位置に受信機４６を示すレシーバアイコン５９が配置されている。受信機４６の指向方向は、図２３において左に向く（矢印アイコン６０参照）。この場合、エリア４１Ａの下側の９箇所の配置位置（高さ方向に異なる配置を含む）に配置されるワイヤレスマイク４５それぞれの送信方向（受信寄与送信方向）は、受信機４６の指向方向に合致する。このため、これらのワイヤレスマイク４５の配置位置と受信機４６の配置位置との組み合わせについては、指向性パラメータが使用されずに妨害波受信強度が計算される。すなわち、エリア４１Ｂにおいて妨害波受信強度が計算される場合、２７通り（２７×１通り）の計算のうち９通りについては、指向性パラメータが使用されずに妨害波受信強度が計算され、２７通り（２７×１通り）の計算のうち１８通りについては、指向性パラメータが使用されて妨害波受信強度が計算される。
【０１１９】
図２４は、指向性を有する受信機４６が配置されているエリア４１Ａにおいて、エリア４１Ａとエリア４１Ｂとの間におけるエリア４１Ａの受信機４６が受信する信号の妨害波受信強度を計算するための模式図である。
【０１２０】
図２４では、エリア４１Ａの右上の配置位置に受信機４６を示すレシーバアイコン５９が配置されている。受信機４６の指向方向は、図２４における下に向く（矢印アイコン６０参照）。この場合、エリア４１Ｂの２７箇所の配置位置（高さ方向に異なる配置を含む）に配置されるワイヤレスマイク４５それぞれの送信方向（受信寄与送信方向）のいずれも、受信機４６の指向方向と合致しない。このため、これらのワイヤレスマイク４５の配置位置と受信機４６の所定配置位置との組み合わせの全てについて、指向性パラメータが使用されて妨害波受信強度が計算される。すなわち、エリア４１Ａにおいて妨害波受信強度が計算される場合、２７通り（２７×１通り）の計算のうち２７通りについて、指向性パラメータが使用されて妨害波受信強度が計算される。
【０１２１】
なお、エリア４１内の複数の受信機４６が設置される場合、複数の受信機４６それぞれについて、ワイヤレスマイク４５の配置位置と受信機４６の配置位置と受信機４６の指向方向とに基づいて希望波受信強度と妨害波受信強度とが計算される。
【０１２２】
図２１〜図２４では、ワイヤレスマイク４５の送信方向と受信機４６の指向方向とが合致する場合、希望波受信強度及び妨害波受信強度の計算において指向性パラメータが用いられていないが、次の場合には指向性パラメータが使用され得る。すなわち、プロセッサ３が、ワイヤレスマイク４５の送信方向と受信機４６の指向方向とが合致するときの指向性パラメータと、ワイヤレスマイク４５の送信方向と受信機４６の指向方向とが合致しないときの指向性パラメータと個別に取り扱う場合、合致程度に応じて各指向性パラメータが使い分けられる。
【０１２３】
ところで、受信機４６について指向方向が設定されず、受信機４６の指向性だけ（指向性の有無）が設定される場合が想定される。このような場合に対応するため、プロセッサ３は、次のように構成され得る。ユーザにより指向方向が設定されずに指向性の有無だけが設定されるとき、プロセッサ３は、指向性アンテナの合理的設置に基づいて、受信機４６の中心から部屋の中央（エリア４１の中央）に向く方向をその受信機４６の指向方向として設定する。
【０１２４】
（Ｓ３：混信判定処理）
混信判定処理Ｓ３は、２つのエリア４１に同一又は隣接チャンネルが割り当てられたとき、図１８で示される結果に基づき（すなわちエリア４１毎の希望波受信強度及び妨害波受信強度）、２つのエリア４１間で混信が生じるか否かを判定するための処理である。
【０１２５】
プロセッサ３は、各エリア４１において、受信強度推定処理Ｓ２により得られた希望波受信強度と妨害波受信強度との比率（希望波受信強度及び妨害波受信強度が対数であればその差）が、ワイヤレスマイク４５の混信を抑制する混信抑制条件（後述参照）を満たすか否かを判定する。例えば、希望波受信強度が、妨害波受信強度よりも十分に大きいとき、混信が生じないと判定する。
【０１２６】
例えば、混信判定処理Ｓ３では、エリア４１毎に受信強度推定処理Ｓ２で計算した希望波受信強度（Ｄ）と妨害波受信強度（Ｕ）との組からワーストケースの組を選択し、この組の妨害波受信強度に対する希望波受信強度の比率（以下、「Ｄ／Ｕ比」という。）を計算して、このＤ／Ｕ比が予め決められた許容値以上であるか否かを判定する。ワーストケースとは、一の例では、希望波受信強度の最も低い値と妨害波受信強度の最も高い値との組み合わせである。
【０１２７】
ワーストケースの別の例では、Ｄ／Ｕ比の計算に用いられる希望波受信強度について、希望波受信強度の最も低い値が除外されて、希望波受信強度の２番目に低い値が使用される。
【０１２８】
これは次の理由による。図２５に示されるように、エリア４１内において複数の受信機４６が設置されてダイバーシティが構成されている場合、ワイヤレスマイク４５から送信される送信信号が複数の受信機４６に受信される。そして、信号の再生のときには受信強度の高い信号が優先的に使用される。図２５に示される例では、ワイヤレスマイク４５から送信される送信信号は２つの受信機４６で受信される。左上の受信機４６は、右下の受信機４６よりもワイヤレスマイク４５から遠いところに配置されているため、左上の受信機４６の受信信号の受信強度は、右下の受信機４６の受信信号の受信強度よりも小さくなる。この場合、受信強度の小さい信号は再生に使用されないか、または再生の際の信号処理への寄与が小さくなる。
【０１２９】
また、図２６に示されるように、エリア４１内において指向性が異なる複数の受信機４６が設置されてダイバーシティが構成されている場合、ワイヤレスマイク４５から送信される送信信号が複数の受信機４６に受信される。そして、信号の再生のときには受信強度の高い信号が優先的に使用される。図２６に示される例では、ワイヤレスマイク４５から送信される送信信号は２つの受信機４６で受信される。左上の受信機４６の指向方向は、ワイヤレスマイク４５から送信される送信信号の送信方向（受信寄与送信方向）に合致しない。これに対して、右下の受信機４６の指向方向は、ワイヤレスマイク４５から送信される送信信号の送信方向（受信寄与送信方向）に合致する。このため、左上の受信機４６の受信信号の受信強度は、右下の受信機４６の受信信号の受信強度よりも小さくなる。この場合、受信強度の小さい信号は再生に使用されないか、または再生の際の信号処理への寄与が小さくなる。
【０１３０】
以上の２例に示されるように、エリア４１内において複数の受信機４６が設置されてダイバーシティが構成されている場合には、希望波受信強度の最も低い値が再生のために使用されない。このため、ダイバーシティが構成されている場合には、Ｄ／Ｕ比の計算のとき、希望波受信強度の１番目に低い値は使用されないことが好ましい。
【０１３１】
混信判定処理Ｓ３の他の例を説明する。混信判定処理Ｓ３では、２つのエリア４１間で混信が生じるか否かについて次のように判定する。混信判定処理Ｓ３では、上述のようにして推定した希望波受信強度と妨害波受信強度とに基づいて、ワイヤレスマイク４５の混信を抑制する混信抑制条件が満たされているかを判定する。
【０１３２】
混信抑制条件は、計算対象エリア４１ｘと計算対象エリア４１ｘとは別の他方のエリア４１ｙとの関係において、希望波受信強度から他のエリア４１ｙからの妨害波受信強度を引いた値（「希望波受信強度（ｄＢ）」−「妨害波受信強度（ｄＢ）」（Ｄ／Ｕ比の一例））が許容値以上（例えば、３０ｄＢ以上）である、という条件である。このように希望波受信強度と妨害波受信強度との差分が許容値以上である場合、妨害波受信強度が相対的に非常に小さいものとなり、実質的に混信が生じないためである。
【０１３３】
具体的には、混信判定処理Ｓ３では、プロセッサ３は、希望波受信強度と妨害波受信強度との差分が、許容値以上であるか否か、下限値（下限値は許容値よりも小さい。）以上かつ許容値よりも小さいか否か、下限値よりも小さいか否かを判定する。希望波受信強度と妨害波受信強度との差分が許容値以上であるときは、混信抑制条件を満たすことになる。希望波受信強度と妨害波受信強度との差分が下限値以上かつ許容値よりも小さいときは、混信が生じるおそれが高まっていると判定される。希望波受信強度と妨害波受信強度との差分が下限値よりも小さいときは、更に混信が生じるおそれが高まるため、混信すると判定される。
【０１３４】
図２７は、複数のエリア４１の配置と混信判定処理Ｓ３の結果との関係を模式的に示した図である。図２８は、混信判定処理Ｓ３の結果を示す表である。図２７及び図２８では、各エリア４１は、Ｒａ、Ｒｂ、Ｒｃ、Ｒｄ、Ｒｅと名前付けされている。以下、これらのエリア４１を区別するときは、エリア４１（Ｒａ）などという。図２７において、全エリア４１のうちから選択される２つのエリア４１の組は、矢印で関係付けられている。そして、各組の矢印に混信判定処理Ｓ３の結果が示されている。なお、「○」印は、Ｄ／Ｕ比が許容値以上であることを示し、混信が生じないまたは生じるおそれが小さいことを意味する。「×」印は、Ｄ／Ｕ比が許容値よりも小さいことを示し、混信が生じるおそれが高いことを意味する。図２８に示される表では、エリア４１（Ｒｂ）とエリア４１（Ｒｅ）との間で、Ｄ／Ｕ比が許容値以上である。この組み合わせ以外の２つのエリア４１間は、いずれもＤ／Ｕ比が許容値よりも小さい。なお、エリア４１毎の混信判定処理Ｓ３の結果は、図２８に示す「○」及び「×」またはこれに代わる２値（例えば、「０」と「１」）によって構成されるのではなく、混信判定処理Ｓ３の判定の元のデータであるＤ／Ｕ比によって構成されてもよい（図２９参照）。
【０１３５】
図２９は、Ｄ／Ｕ比を示す表である。図２９には、２つのエリア４１の全組について、Ｄ／Ｕ比が示されている。このような混信判定処理Ｓ３の結果（Ｄ／Ｕ比によって構成される結果）は、例えばｃｓｖ形式（ｃｏｍｍａ−ｓｅｐａｒａｔｅｄ−ｖａｌｕｅｓ）などの所定の形式で出力するが可能である。
【０１３６】
（Ｓ４：自動チャンネルプラン作成処理）
自動チャンネルプラン作成処理Ｓ４は、混信判定処理Ｓ３の結果に基づいて、各エリア４１に割り当てるワイヤレスマイク４５のチャンネルプラン６２を自動的に作成する処理である。
【０１３７】
ワイヤレスマイク４５に割り当てられるチャンネルは、ワイヤレスマイク４５に割り当てることができるチャンネルとして予め定められたチャンネル群（チャンネルリスト）から選択される。チャンネル群の各チャンネルは所定周波数間隔で設定されている。チャンネル群は、各国の法規制や団体等により定められる場合がある。法規制や団体等としては、例えば日本のＡＲＩＢ（一般社団法人電波産業会。Ａｓｓｏｃｉａｔｉｏｎ  Ｒａｄｉｏ  Ｉｎｄｕｓｔｒｉｅｓ  ａｎｄ  Ｂｕｓｉｎｅｓｓｅｓ）、米国のＦＣＣ（Ｆｅｄｅｒａｌ  Ｃｏｍｍｕｎｉｃａｔｉｏｎｓ  Ｃｏｍｍｉｓｓｉｏｎ）、オーストラリアのＡＣＭＡ（Ａｕｓｔｒａｌｉａｎ  Ｃｏｍｍｕｎｉｃａｔｉｏｎｓ  ａｎｄ  Ｍｅｄｉａ  Ａｕｔｈｏｒｉｔｙ）がある。
【０１３８】
ここでは、図３０に示されるように、８００ＭＨｚ帯（８０６．１２５ＭＨｚ〜８０９．７５０ＭＨｚ）のチャンネル群からチャンネルが選択される例を示す。この例では、８００ＭＨｚ帯において１２５ＫＨｚ間隔で３０チャンネルが定められている。また、この例では、同一のグループ内の各チャンネルが７５０ＫＨｚ隔てられるように、３０チャンネルが６つのグループに分けられている。
【０１３９】
自動チャンネルプラン作成処理Ｓ４では、プロセッサ３は、チャンネル割り当てルールに従って、レイアウト設定処理Ｓ１で設定された希望個数と、混信判定処理Ｓ３の結果とに基づき各エリア４１のワイヤレスマイク４５に割り当てることが可能なチャンネルをチャンネル群から選択し、チャンネルプラン６２を作成する。以下、チャンネル割り当てルールの一例を説明する。
【０１４０】
（Ｓ４−１）
一の例では、チャンネル割り当てルールは、第１〜第３のルールを含む。
第１のルールは、同一のエリア４１内では同一のチャンネルの使用を禁止し、異なるチャンネルを使用するルールである。
【０１４１】
第２のルールは、所定のエリア４１に配置されるワイヤレスマイク４５に対してチャンネルを割り当てるとき、混信判定処理Ｓ３で得られた結果を参照し、他のエリア４１との関係で混信が生じないチャンネルを割り当てるというルールである。従って、混信判定処理Ｓ３の結果において互いに混信が生じないと判定されたエリア４１間（図２８では「○」で示されたエリア４１間）では、同一のチャンネルの使用が許容される。また、混信判定処理Ｓ３の結果において互いに混信が生じると判定されたエリア４１間（図２８では「×」で示されたエリア４１間）では同一のチャンネルの使用が禁止される。
【０１４２】
第３のルールは、各エリア４１にチャンネルを割り当てるとき、周波数が低いチャンネルから順に割り当てるというルールである。具体的には、図３０に示される表のようにグループ分けされているときは、チャンネルＦ１、チャンネルＤ１、チャンネルＢ１、チャンネルＥ１、チャンネルＣ１、チャンネルＡ１、チャンネルＦ２・・・の順にチャンネルが各エリア４１のワイヤレスマイク４５に割り当てられる。
【０１４３】
プロセッサ３は、以上のルールに基づいて、各フロアのエリア４１に配置されているワイヤレスマイク４５にチャンネルを割り当てる。このようにして作成したチャンネルプラン６２をメモリ２に記憶する。
【０１４４】
図３１は、自動チャンネルプラン作成処理Ｓ４により形成されたチャンネルプラン６２の一例である。図３１の例は、エリア４１（Ｒａ）〜エリア４１（Ｒｅ）それぞれにおいて、ワイヤレスマイク４５の希望個数が１０本、５本、９本、６本、３本に設定された例である。
【０１４５】
この例は、図２８の示される混信判定処理Ｓ３の結果に基づいて作成されたチャンネルプラン６２である。左から第１列目の欄は、エリア４１の名称を示す。第２列目の欄は、各エリア４１に配置されているワイヤレスマイク４５の希望個数（すなわち、ユーザが設定した希望個数）と、割り当てられてチャンネルの個数（割当数）を示す。第３列目の欄は、ユーザの希望個数の全てに対してチャンネルが割り当てられているか否かを示す。ユーザの希望個数の全てに対してチャンネルが割り当てられている場合は、「充足」と示され、ユーザの希望個数を充たすようにチャンネルが割り当てられていない場合は、「不足」と示される。第４列目の欄は、エリア４１に割り当てられたチャンネルを示す。
【０１４６】
まず、エリア４１（Ｒａ）において、エリア４１内で同一のチャンネルが使用されないように、周波数の低い方から順にチャンネルがワイヤレスマイク４５に割り当てられる。
エリア４１（Ｒｂ）はエリア４１（Ｒａ）との関係において同一チャンネルの割り当てが禁止されている（図２８において「×」判定）。このため、エリア４１（Ｒａ）に割り当てられたチャンネル以外のチャンネルのうち周波数が低い方から順にチャンネルがエリア４１（Ｒｂ）のワイヤレスマイク４５に割り当てられる。
【０１４７】
エリア４１（Ｒｃ）はエリア４１（Ｒａ）とエリア４１（Ｒｂ）との関係において、いずれのエリア４１とも同一チャンネルの割り当てが禁止されている（図２８において「×」判定）。このため、エリア４１（Ｒａ）とエリア４１（Ｒｂ）とに割り当てられたチャンネル以外のチャンネルのうち周波数が低い方から順にチャンネルがエリア４１（Ｒｃ）のワイヤレスマイク４５に割り当てられる。
【０１４８】
エリア４１（Ｒｄ）は、エリア４１（Ｒａ）とエリア４１（Ｒｂ）とエリア４１（Ｒｃ）との関係において、いずれのエリア４１とも同一チャンネルの割り当てが禁止されている（図２８において「×」判定）。このため、エリア４１（Ｒａ）とエリア４１（Ｒｂ）とエリア４１（Ｒｃ）とに割り当てたチャンネル以外のチャンネルのうち周波数が低い方から順にチャンネルがエリア４１（Ｒｄ）のワイヤレスマイク４５に割り当てられる。
【０１４９】
エリア４１（Ｒｅ）は、エリア４１（Ｒａ）とエリア４１（Ｒｃ）とエリア４１（Ｒｄ）との関係において、いずれのエリア４１とも同一チャンネルの割り当てが禁止されている（図２８において「×」判定）。一方、エリア４１（Ｒｅ）は、エリア４１（Ｒｂ）との関係において同一チャンネルの割り当てが許容されている（図２８において「○」判定）。このため、エリア４１（Ｒｂ）に割り当てられたチャンネルのうち周波数の低い方から順にチャンネルがエリア４１（Ｒｅ）のワイヤレスマイク４５に割り当てられる。以上のようにして、図３１に示される例では、エリア４１（Ｒａ）〜エリア４１（Ｒｅ）全てのエリア４１で希望個数が充たされるようにチャンネルが割り当てられている。
【０１５０】
図３２は、自動チャンネルプラン作成処理Ｓ４により形成されるチャンネルプラン６２の他の例である。この例は、図３１に示される例からエリア４１（Ｒｅ）に配置されるワイヤレスマイク４５の個数（希望個数）を７本に増大させている例である。
【０１５１】
この例でも、エリア４１（Ｒａ）からエリア４１（Ｒｄ）までは、異なるチャンネルが割り当てられる。図３１の場合と同様、エリア４１（Ｒｅ）とエリア４１（Ｒｂ）とには同一チャンネルの割り当てが可能であるため、エリア４１（Ｒｅ）のワイヤレスマイク４５には、エリア４１（Ｒｂ）のワイヤレスマイク４５に割り当てられたチャンネルと同じチャンネルが割り当てられ得る。しかし、エリア４１（Ｒｅ）のワイヤレスマイク４５の希望個数が７本であるのに対して、チャンネルが割り当て可能なチャンネル数は５本である。また、割り当て可能なチャンネルも残っていない。このため、この例では、エリア４１（Ｒｅ）には、チャンネルが割り当てられていない。
【０１５２】
このような場合、プロセッサ３は、エリア４１（Ｒｅ）にチャンネルを割り当てるチャンネルプラン６２（第１の代替案）を作成してもよい。一例では、エリア４１（Ｒｅ）に、割り当て可能なチャンネルだけ割り当てられる。すなわち、エリア４１（Ｒｅ）におけるワイヤレスマイク４５の希望個数は７本であるが、５本までであれば割り当て可能である旨の提案（チャンネルプラン６２）を示す。例えば、エリア４１（Ｒｅ）の５本のワイヤレスマイク４５には、エリア４１（Ｒｂ）と同じチャンネル、チャンネルＣ２、Ａ２、Ｆ３、Ｄ３、Ｂ３が割り当てられる。
【０１５３】
更に、プロセッサ３は、エリア４１（Ｒｅ）を充足させる代わりに他のエリア４１を充足させないようにする代替のチャンネルプラン６２を作成してもよい。例えば、エリア４１（Ｒｅ）の充足させる代わりに、エリア４１（Ｒｄ）を充足させないようにするチャンネルプラン６２（第２の代替案）を作成する。図３３に示される例では、エリア４１（Ｒｄ）のワイヤレスマイク４５の希望個数が６本であるのに対して、４個のチャンネルを割り当てる。これにより、いずれのエリア４１にも使用されていないチャンネル（例えば、チャンネルＣ５、Ａ５）を作り出す。そして、この２つのチャンネルをエリア４１（Ｒｅ）に割り当てるようにする。これにより、エリア４１（Ｒｅ）のワイヤレスマイク４５の希望個数７本それぞれにチャンネルが割り当てられるようになる。
【０１５４】
（Ｓ４−２）
図３４〜図３７を参照して、チャンネル割り当てルールの別の例を説明する。
別の例では、チャンネル割り当てルールは、次の第１〜第３のルールを含む。
【０１５５】
第１のルールは、同一のエリア４１内では、同一のチャンネルを使用することを禁止し、かつチャンネル間の周波数間隔が所定周波数よりも小さくなるチャンネルの使用を禁止し、これらのチャンネル以外のチャンネルを使用するというルールである。所定周波数は、例えば３７５ＫＨｚに設定される。チャンネル間の周波数間隔が所定周波数よりも小さくなるチャンネルの使用を禁止する理由は、同一のエリア４１内で、所定周波数範囲内で複数のチャンネルが使用される場合、混信のおそれがあるためである。図３４〜図３７に示される例は、所定周波数が３７５ＫＨｚに設定されている例である。
【０１５６】
第２のルールは、所定のエリア４１に配置されるワイヤレスマイク４５に対してチャンネルを割り当てるとき、混信判定処理Ｓ３で得られた結果を参照し、他のエリア４１との関係で混信が生じないチャンネルを割り当てるというルールである。具体的には、混信判定処理Ｓ３の結果、エリア４１間においては、互いに混信が生じないと判定されたエリア４１間（図２８では「○」で示されたエリア４１間）では同一のチャンネルの使用が許容される。混信判定処理Ｓ３の結果、互いに混信が生じると判定されたエリア４１間（図２８では「×」で示されたエリア４１間）では同一のチャンネル及び隣接のチャンネル（例えば、同一チャンネルからの間隔が３７５ＫＨｚよりも小さくなるチャンネル）の使用が禁止されるというルールである。
【０１５７】
第３のルールは、各エリア４１にチャンネルを割り当てるとき、周波数が低いチャンネルから順に割り当てるというルールである。具体的には、図３０に示される表のようにグループ分けされているときは、チャンネルＦ１、チャンネルＤ１、チャンネルＢ１、チャンネルＥ１、チャンネルＣ１、チャンネルＡ１、チャンネルＦ２・・・の順にチャンネルが各エリア４１のワイヤレスマイク４５に割り当てられる。なお、第１ルールが存在するため、実際には、このチェンネルの配列において２つ飛ばしでチャンネルが選択される。
【０１５８】
図３４は、自動チャンネルプラン作成処理Ｓ４により形成されたチャンネルプラン６２の一例である。図３４の例は、エリア４１（Ｒａ）〜エリア４１（Ｒｅ）それぞれにおいて、ワイヤレスマイク４５の希望個数が４本、４本、１本、１本、３本に設定された例である。また、図３４の例は、図２８の示される混信判定処理Ｓ３の結果に基づいて作成されたチャンネルプラン６２である。
【０１５９】
この例では、まず、エリア４１（Ｒａ）のワイヤレスマイク４５には、周波数が低い方から３７５ＫＨｚ隔ててチャンネルが割り当てられる。
エリア４１（Ｒｂ）は、エリア４１（Ｒａ）との関係において、同一及び隣接チャンネルの割り当てが禁止されている（図２８において「×」判定）。このため、エリア４１（Ｒｂ）のワイヤレスマイク４５には、エリア４１（Ｒａ）に割り当てたチャンネル以外のチャンネルのうち周波数の低い方から３７５ＫＨｚ隔ててチャンネルが割り当てられる。
【０１６０】
エリア４１（Ｒｃ）は、エリア４１（Ｒａ）とエリア４１（Ｒｂ）との関係において、いずれのエリア４１とも同一及び隣接チャンネルの割り当てが禁止されている（図２８において「×」判定）。このため、エリア４１（Ｒｃ）のワイヤレスマイク４５には、エリア４１（Ｒａ）とエリア４１（Ｒｂ）とに割り当てられたチャンネル以外のチャンネルのうち周波数の低い方から３７５ＫＨｚ隔ててチャンネルが割り当てられる。
【０１６１】
エリア４１（Ｒｄ）は、エリア４１（Ｒａ）とエリア４１（Ｒｂ）とエリア４１（Ｒｃ）との関係において、いずれのエリア４１とも同一及び隣接チャンネルの割り当てが禁止されている（図２８において「×」判定）。このため、エリア４１（Ｒｄ）のワイヤレスマイク４５には、エリア４１（Ｒａ）とエリア４１（Ｒｂ）とエリア４１（Ｒｃ）とに割り当てられたチャンネル以外のチャンネルのうち周波数の低い方から３７５ＫＨｚ隔ててチャンネルが割り当てられる。
【０１６２】
エリア４１（Ｒｅ）は、エリア４１（Ｒａ）とエリア４１（Ｒｃ）とエリア４１（Ｒｄ）との関係において、いずれのエリア４１とも同一及び隣接チャンネルの割り当てが禁止されている（図２８において「×」判定）。一方、エリア４１（Ｒｅ）はエリア４１（Ｒｂ）との関係において同一チャンネルの割り当てが許容されている（図２８において「○」判定）。このため、エリア４１（Ｒｅ）のワイヤレスマイク４５には、エリア４１（Ｒｂ）に割り当てられたチャンネルのうち周波数の低いチャンネルから割り当てられる。この例では、エリア４１（Ｒａ）〜エリア４１（Ｒｅ）全てのエリア４１で希望個数を充たすようにチャンネルが割り当てられている。以上のように、この例では、エリア４１（Ｒａ）〜エリア４１（Ｒｅ）全てのエリア４１で希望個数が充たされるようにチャンネルが割り当てられている。
【０１６３】
図３５は、自動チャンネルプラン作成処理Ｓ４により形成されるチャンネルプラン６２の他の例である。この例は、図３４に示される例からエリア４１（Ｒｂ）〜エリア４１（Ｒｄ）に配置されるワイヤレスマイク４５の個数（希望個数）が変更されている。
【０１６４】
このようにワイヤレスマイク４５の希望個数が設定されている場合、上記第１〜第３のルールに従って各エリア４１にチャンネルを割り当てると、エリア４１（Ｒｄ）とエリア４１（Ｒｅ）にはチャンネルが割り当てられないようになる。
【０１６５】
このような場合、プロセッサ３は、図３６に示されるように、エリア４１（Ｒｄ）及びエリア４１（Ｒｅ）にチャンネルを割り当てるチャンネルプラン６２（第１の代替案）を作成してもよい。この例では、エリア４１（Ｒｄ）及びエリア４１（Ｒｅ）に、割り当て可能なチャンネルだけ割り当てられている。すなわち、プロセッサ３は、エリア４１（Ｒｄ）について、ワイヤレスマイク４５の希望個数は２本であるが、１本までであれば割り当て可能であり、エリア４１（Ｒｅ）について、ワイヤレスマイク４５の希望個数は４本であるが、２本までであれば割り当て可能である旨の提案（チャンネルプラン６２）を示す。
【０１６６】
更に、プロセッサ３は、図３７に示されるように、エリア４１（Ｒｃ）を充足させる代わりに他のエリア４１を充足させないようにする代替のチャンネルプラン６２を作成してもよい。例えば、エリア４１（Ｒｃ）の充足させない代わりに、エリア４１（Ｒｅ）及びエリア４１（Ｒｄ）を充足させるチャンネルプラン６２（第２の代替案）を作成する。この例では、プロセッサ３は、エリア４１（Ｒｄ）に優先的にチャンネルを割り当てる。すなわち、エリア４１（Ｒｄ）、エリア４１（Ｒｅ）、エリア４１（Ｒａ）、エリア４１（Ｒｂ）、エリア４１（Ｒｃ）の順にチャンネルを割り当てる。このような順で、第１〜第３ルールに従ってチャンネルを割り当てると、エリア４１（Ｒｃ）を除く他のエリア４１（Ｒａ、Ｒｂ、Ｒｄ、Ｒｅ）にチャンネルが割り当てられるようになる。この結果、図３６に示される例よりも、希望個数を充たすエリア４１の数が多くなっている。
【０１６７】
このように、各エリア４１についてチャンネルの割り当てを行う順を変更すると、希望個数を充たすエリア４１の数が変わることがある。そこで、プロセッサ３は次のように構成され得る。すなわち、プロセッサ３は、複数のエリア４１についてチャンネルを割り当てる順のパターンを複数作成し、割り当て順のパターンそれぞれで、自動チャンネルプラン作成処理Ｓ４を実行する。そして、このようにして作成された複数のチャンネルプラン６２のうち希望個数を充たすエリア４１の個数について比較し、希望個数を充たすエリア４１が最も多いチャンネルプラン６２を第１案として提案する。
【０１６８】
図３８を参照して、自動チャンネルプラン作成処理Ｓ４の実行後において、表示画面２１に示され得るチャンネル表６１について説明する。
自動チャンネルプラン作成処理Ｓ４が終了すると、各エリア４１のワイヤレスマイク４５にチャンネルが割り当てられた状態になる。このとき、プロセッサ３は、エリア４１毎に、チャンネル表６１を表示するための表示信号を出力し、この表示信号に基づいて表示装置２０にチャンネル表６１を表示させる。
【０１６９】
例えば、自動チャンネルプラン作成処理Ｓ４において、第１入力装置３１により所定のエリア４１が選択されると、プロセッサ３は、そのエリア４１のチャンネル表６１を表示するための表示信号を出力インターフェイス４から出力し、この情報に基づいて表示装置２０にチャンネル表６１を表示させる。チャンネル表６１には、そのエリア４１に使用されるワイヤレスマイク４５に割り当てられたチャンネル、そのエリア４１で使用が禁止されるチャンネル、そのエリア４１での使用が可能なチャンネルを示す情報である。
【０１７０】
図３８（ａ）では、選択されたエリア４１がドットハッチングで示されている。
図３８（ｂ）は、表示画面２１に示されるチャンネル表６１の一例である。この表の、各列は、チャンネルのグループを示す。１〜５は、グループ内のチャンネルを区別するための符号である。「Ｖ」は、そのエリア４１のワイヤレスマイク４５に割り当てられたチャンネルを示す。「×」は、そのエリア４１で使用が禁止されるチャンネルを示す。「Ｖ、×」が示されていないものは、そのエリア４１での使用が可能なチャンネルを示す。
【０１７１】
このような表によれば、ユーザは、そのエリア４１で使用するワイヤレスマイク４５に対して割り当てられたチャンネルを容易に把握することができる。また、そのエリア４１で使用可能な他のチャンネルを把握することができる。
【０１７２】
（Ｓ５：手動チャンネル判定処理）
手動チャンネル判定処理Ｓ５は、混信判定処理Ｓ３の結果を用いて、ユーザが選択したチャンネルの使用可否（割り当て可否）を判定すること、またはエリア４１についてユーザが選択したチャンネルが使用であるか否かを判定する処理である。例えば、プロセッサ３は、各エリア４１のワイヤレスマイク４５にチャンネルが割り当てられているときに、所定のエリア４１に所定チャンネルのワイヤレスマイク４５を追加する場合、手動チャンネル判定処理の実行により、そのチャンネルの使用可否を判定する。また、プロセッサ３は、手動チャンネル判定処理の実行により、選択されたエリア４１について、所定チャンネルのワイヤレスマイク４５の使用が可能か否かを判定する。
【０１７３】
ユーザが選択することができるチャンネルは、ワイヤレスマイク４５に割り当てることができるチャンネルとして予め定められたチャンネル群（チャンネルリスト）に制限される。チャンネル群は、各国の法規制や団体等により定められる場合がある。法規制や団体等としては例えば、日本のＡＲＩＢ（一般社団法人電波産業会。Ａｓｓｏｃｉａｔｉｏｎ  Ｒａｄｉｏ  Ｉｎｄｕｓｔｒｉｅｓ  ａｎｄ  Ｂｕｓｉｎｅｓｓｅｓ）、米国のＦＣＣ（Ｆｅｄｅｒａｌ  Ｃｏｍｍｕｎｉｃａｔｉｏｎｓ  Ｃｏｍｍｉｓｓｉｏｎ）、オーストラリアのＡＣＭＡ（Ａｕｓｔｒａｌｉａｎ  Ｃｏｍｍｕｎｉｃａｔｉｏｎｓ  ａｎｄ  Ｍｅｄｉａ  Ａｕｔｈｏｒｉｔｙ）がある。
【０１７４】
ここでは、図３０に示されるように、８００ＭＨｚ帯（８０６．１２５ＭＨｚ〜８０９．７５０ＭＨｚ）のチャンネル群からチャンネルが選択される例を示す。この例では、８００ＭＨｚ帯において１２５ＫＨｚ間隔で３０チャンネルが定められている。また、この例では、同一のグループ内の各チャンネルが７５０ＫＨｚ隔てられるように、３０チャンネルが６つのグループに分けられている。
【０１７５】
（Ｓ５−１：第１の態様）
第１の態様に係る手動チャンネル判定処理Ｓ５では、プロセッサ３は、上記チャンネル群の中から一または複数のチャンネルを選択する第１操作（選択操作）を受け付ける。そして、第１操作を受け付けたとき、プロセッサ３は、所定ルールに従って、混信判定処理Ｓ３の結果に基づき第１操作で選択されたチャンネル（以下、「選択チャンネル」という。）が使用可能なエリア４１を導出し、導出されたエリア４１を表示する。
【０１７６】
一例では、図３９に示されるように、プロセッサ３は、レイアウト設定処理Ｓ１で設定したエリア４１を含むレイアウト４０を表示装置２０に表示するとともに、チャンネル群の個々のチャンネルに対応するマイクアイコン５８を表示する。各エリア４１において、エリア４１毎にレイアウト設定処理Ｓ１で設定された希望個数に対応する数のマイクアイコン５８を第１表示態様で表示する。第１表示態様は、例えば、半透明や破線である。例えば、選択されたエリア４１で希望個数が７本の場合、７つのマイクアイコン５８が第１表示態様（図４０）で表示される。この第１表示態様の表示を確認することで、ユーザは、画面上においてエリア４１毎にチャンネルを割り当てるべきワイヤレスマイク４５の有無と希望個数を確認することができる。
【０１７７】
他の例では、プロセッサ３は、第１操作として、マイクアイコン５８をレイアウト４０へドラッグ（移動）する操作を受け付ける。別の例では、第１操作として、マイクアイコン５８のクリック選択操作を受け付けるようにしてもよい。
【０１７８】
（Ｓ５−１−１）
第１の態様の一例を説明する。
第１の態様では、プロセッサ３は、混信判定処理Ｓ３で得られた結果を参照して、ルール（以下、「Ｓ５−１−１のルール」という。）に基づいて、選択チャンネル（ユーザにより選択されたチャンネル）が使用可能であるエリア４１またはチャンネルの使用が禁止されるエリア４１を導出し、これをユーザに通知する。
【０１７９】
Ｓ５−１−１のルールには、第１のルール及び第２のルールが含まれる。
第１のルールは、混信判定処理Ｓ３の結果において互いに混信が生じないと判定されたエリア４１間が存在する場合、これらのエリア４１で同一チャンネルの使用が可能であるというルールである。すなわち、互いに混信が生じないと判定されたエリア４１のいずれか一方だけに選択チャンネルが割り当てられている場合、他のエリア４１に選択チャンネルが使用可能である。第２のルールは、混信判定処理Ｓ３の結果により互いに混信が生じると判定されたエリア４１間では、同一のチャンネルの使用が禁止される、というルールである。
【０１８０】
プロセッサ３は、第１操作に応答して、選択チャンネルが割り当てられているエリア４１があるか否かを判定する。
プロセッサ３は、全エリア４１において選択チャンネルと同じチャンネルがない場合、いずれのエリア４１にも選択チャンネルの割り当てが可能であるため、選択チャンネルが全エリア４１のいずれかのエリア４１に割り当てが可能である旨を通知する。
【０１８１】
一方、プロセッサ３は、選択チャンネルと同じチャンネルが設定されているエリア４１がある場合、混信が生じる可能性のないエリア４１（混信判定処理Ｓ３で「〇」判定）と、混信の可能性があるエリア４１（混信判定処理Ｓ３で「×」判定）との少なくとも一方をユーザに通知する。
【０１８２】
この処理について、混信判定処理Ｓ３の結果（図２８参照）が得られている場合の例で説明する。
第１操作でチャンネルＦ２（８０６．８７５ＭＨｚ）のワイヤレスマイク４５が選択されると、プロセッサ３は、当該チャンネルＦ２のワイヤレスマイク４５が割り当てられているエリア４１の有無を判定する。該当のエリア４１がない場合、いずれのエリア４１にもチャンネルＦ２の割り当てが可能であるため、全てのエリア４１が使用可能である旨通知する。
【０１８３】
一方、エリア４１（Ｒｂ）にチャンネルＦ２のワイヤレスマイク４５が割り当てられている場合、次のメッセージの少なくとも一方を通知する。すなわち、図２８の混信判定処理Ｓ３の結果によれば、エリア４１（Ｒｅ）には、エリア４１（Ｒｂ）との関係で同一チャンネルの割り当てが許容されるため、プロセッサ３は、エリア４１（Ｒｅ）においてチャンネルＦ２の使用が可能である旨をユーザに通知する。または、エリア４１（Ｒｅ）以外のエリア４１（Ｒａ、Ｒｂ、Ｒｃ、Ｒｄ）では、チャンネルＦ２の使用が禁止される旨のメッセージが通知される。
【０１８４】
通知は、例えば、エリア４１（Ｒｅ）への割り当て可能であることを表す、エリア４１（Ｒｅ）の第１の強調表示により行われる。または、通知は、エリア４１（Ｒａ）、エリア４１（Ｒｂ）、エリア４１（Ｒｃ）及びエリア４１（Ｒｄ）への割り当てが禁止されることを表す、これらエリア４１（Ｒａ），４１（Ｒｂ），４１（Ｒｃ），４１（Ｒｄ）の第２の強調表示により行われる。
【０１８５】
（Ｓ５−１−２）
第１の態様の他の例を説明する。この例では、プロセッサ３は、混信判定処理Ｓ３で得られた結果を参照して、ルール（以下、「Ｓ５−１−２のルール」という。）に基づいて、選択チャンネル（ユーザにより選択されたチャンネル）が使用可能であるエリア４１またはチャンネルの使用が禁止されるエリア４１を導出し、これをユーザに通知する。
【０１８６】
Ｓ５−１−２のルールには、第１のルール及び第２のルールが含まれる。
第１のルールは、混信判定処理Ｓ３の結果において互いに混信が生じないと判定されたエリア４１間では同一チャンネルが使用可能である、というルールである。
【０１８７】
第２のルールは、混信判定処理Ｓ３の結果において互いに混信が生じると判定されたエリア４１間では、同一のチャンネル及び隣接チャンネルの使用が禁止される（すなわち所定周波数範囲内での複数のチャンネルの使用禁止）、というルールである。
【０１８８】
プロセッサ３は、第１操作に応答して、選択チャンネル及び選択チャンネルに隣接する隣接チャンネルを選定する。そして、これらのチャンネル（選択チャンネルと同一及び隣接チャンネル群）が割り当てられているエリア４１があるか否かを判定する。
【０１８９】
これらのチャンネル（選択チャンネルと同一及び隣接チャンネル群）がいずれのエリア４１にも設定されていない場合、いずれのエリア４１にも選択チャンネルの割り当てが可能であるため、選択チャンネルがすべてのエリア４１のいずれかに割り当てが可能である旨を通知する。
【０１９０】
一方、プロセッサ３は、これらのチャンネル（選択チャンネルと同一及び隣接チャンネル群）がいずれかのエリア４１に設定されている場合、混信が生じる可能性のないエリア４１（混信判定処理Ｓ３で「〇」判定）と、混信が生じる可能性があるエリア４１（混信判定処理Ｓ３で「×」判定）との少なくとも一方をユーザに通知する。
【０１９１】
この処理について、混信判定処理Ｓ３の結果（図２８参照）が得られている場合の例で説明する。
第１操作でチャンネルＦ２（８０６．８７５ＭＨｚ）のワイヤレスマイク４５を選択されると、プロセッサ３は、当該チャンネルＦ２、及びチャンネルＦ２から３７５ＫＨｚ内（３７５ＫＨｚを含まない。）に存在するチャンネルＡ１、チャンネルＣ１、チャンネルＢ２、チャンネルＤ２それぞれについて、これらチャンネルが割り当てられているエリア４１の有無を判定する。
【０１９２】
これらチャンネルが割り当てられているエリア４１が存在しない場合は、いずれのエリア４１にも選択チャンネルの割り当てが可能であるため、選択チャンネルが全エリア４１のいずれかのエリア４１に割り当てが可能である旨を通知する。
【０１９３】
一方、エリア４１（Ｒｂ）に、チャンネルＦ２、チャンネルＡ１、チャンネルＣ１、チャンネルＢ２、及びチャンネルＤ２のいずれかのチャンネルが割り当てられている場合、プロセッサ３は次のメッセージの少なくとも１つを通知する。すなわち、エリア４１（Ｒｅ）には、エリア４１（Ｒｂ）との関係で同一チャンネルの割り当てが許容されるため、プロセッサ３は、エリア４１（Ｒｅ）においてチャンネルＦ２の使用が可能である旨をユーザに通知する。または、エリア４１（Ｒｂ）との関係で混信が生じる可能性が高い判定（図２８における「×」判定）されているエリア４１（Ｒａ）、エリア４１（Ｒｂ）、エリア４１（Ｒｃ）、エリア４１（Ｒｄ）でチャンネルＦ２が使用不可である旨の通知を行う。
【０１９４】
通知は、例えば、エリア４１（Ｒｅ）への割り当て可能であることを表す、エリア４１（Ｒｅ）の第１の強調表示により行われる。または、通知は、エリア４１（Ｒａ）、エリア４１（Ｒｂ）、エリア４１（Ｒｃ）及びエリア４１（Ｒｄ）への割り当てが禁止されることを表す、これらエリア４１（Ｒａ），４１（Ｒｂ），４１（Ｒｃ）、４１（Ｒｄ）の第２の強調表示により行われる。
【０１９５】
図３９は、手動チャンネル判定処理Ｓ５（Ｓ５−１）が実行されたときの表示画面２１の一例である。
図３９には、所定フロアに所定のチャンネルのワイヤレスマイク４５を追加する例が示されている。表示画面２１の上部には、エリア４１に新たにワイヤレスマイク４５を追加するためのアイコン（追加マイクアイコン５８ａ）が表示される。追加マイクアイコン５８ａのそれぞれにはチャンネルが割り当てられている。そして、追加マイクアイコン５８ａは、グループが区別されるように表示画面２１に表示される。また、追加マイクアイコン５８ａのいずれか一つが選択可能とされており、追加マイクアイコン５８ａは所定のエリア４１にドラッグ可能（移動可能）とされている。
【０１９６】
追加マイクアイコン５８ａがドラッグされて所定のフロアに配置されると、プロセッサ３は、混信判定処理Ｓ３の結果に基づいて、複数のエリア４１の中から、追加マイクアイコン５８ａのチャンネルが配置可能なエリア４１を検索する。そして、この検索により、該当するエリア４１が発見される場合は、プロセッサ３は、このエリア４１を強調表示する。図３９は、２階の左下のエリア４１が強調表示されている様子を示す（第１の強調表示）。このような処理によれば、ユーザは、表示画面２１上で、ワイヤレスマイク４５の追加可能なエリア４１を容易に見つけ出すことができる。
【０１９７】
（Ｓ５−２：第２の態様）
第２の態様に係る手動チャンネル判定処理Ｓ５では、プロセッサ３は、上記チャンネル群の中から一または複数のチャンネルを選択する第１操作（第１選択操作）と、第１操作で選択したチャンネルを使用するエリア４１を選択する第２操作（第２選択操作）とを受け付ける。そして、第１操作及び第２操作を受け付けたとき、プロセッサ３は、チャンネル割り当てルールに従って、混信判定処理Ｓ３の結果に基づき第２操作で選択されたエリア４１内において第１操作で選択されたチャンネル（選択チャンネル）が使用可能か（割り当て可能か）を判定する。
【０１９８】
図４１に示されるように、プロセッサ３は、レイアウト設定処理Ｓ１で設定したエリア４１を含むレイアウト４０を表示装置２０に表示するとともに、チャンネル群の個々のチャンネルに対応するマイクアイコン５８を表示する。各エリア４１において、エリア４１毎にレイアウト設定処理Ｓ１で設定された希望個数に対応する数のマイクアイコン５８を第１表示態様で表示する。第１表示態様は例えば半透明や破線である。例えば、選択されたエリア４１で希望個数が７本の場合、７つのマイクアイコン５８が第１表示態様（図４０）で表示される。この第１表示態様の表示を確認することで、ユーザは、画面上においてエリア４１毎にチャンネルを割り当てるべきワイヤレスマイク４５の有無と希望個数を確認することができる。
【０１９９】
一例では、プロセッサ３は、第１操作及び第２操作を一連の操作、例えばマイクアイコン５８をレイアウト４０の所定のエリア４１へドラッグする操作として受け付ける（図４１参照）。別の例では、プロセッサ３は、第１操作として、マイクアイコン５８のクリック選択操作を受け付け、第２操作としてエリア４１のクリック選択操作を受け付けるように構成される。また、別の例では、プロセッサ３は、第２操作としてエリア４１のクリック選択操作を受け付け、これに応答してチャンネル群のリスト（チャンネルリスト。例えば、図３０参照）を表示し、第１操作として一覧からチャンネルを選択する操作を受け付けるように構成され得る。
【０２００】
（Ｓ５−２−１）
第２の態様の一例を説明する。
第２の態様では、プロセッサ３は、混信判定処理Ｓ３で得られた結果を参照して、ルールに基づいて、選択チャンネル（第１操作でユーザにより選択されたチャンネル）がユーザにより選択されたエリア４１において使用が許容されるか否かについてユーザに通知する。
【０２０１】
ここでのルールとは、選択されたエリア４１とこのエリア４１以外のエリア４１とのエリア４１間において、混信判定処理Ｓ３の結果により互いに混信が生じないと判定されたエリア４１間では同一のチャンネルが使用することができ、互いに混信が生じると判定されたエリア４１間では同一のチャンネルの使用が禁止されるというルールである。
【０２０２】
プロセッサ３は、第１操作及び第２操作に応答して、第２操作で選択されたエリア４１において、選択チャンネルが割り当て可能か否かを判定する。具体的には、第２操作で選択されたエリア４１との関係で混信が生じる可能性のあるエリア４１（混信判定処理Ｓ３で「×」判定）に、選択チャンネルが割り当てられているか否かを判定する。
【０２０３】
この判定が肯定される場合、すなわち、第２操作で選択されたエリア４１との関係で混信が生じる可能性のあるエリア４１（混信判定処理Ｓ３で「×」判定）に、選択チャンネルが割り当てられている場合、選択チャンネルは使用不可であるため、その旨をユーザに通知する。
【０２０４】
この判定が否定される場合、すなわち、第２操作で選択されたエリア４１との関係で混信が生じる可能性があるエリア４１（混信判定処理Ｓ３で「×」判定）に、選択チャンネルが割り当てられていない場合、かつ第２操作で選択されたエリア４１に選択チャンネルが割り当てられていない場合、第２操作で選択されたエリア４１において選択チャンネルが使用可能であるため、その旨を通知する。
【０２０５】
通知は例えば次の態様で行われる。プロセッサ３は、例えば、選択されたチャンネルが使用可能判定の場合はレイアウト４０上で該当するマイクアイコン５８に「○」印を重ねるようにして、表示する。プロセッサ３は、選択されたチャンネルが使用不可判定の場合、マイクアイコン５８に「×」印を重ねるようにして、表示する。
【０２０６】
例えば、図２８の結果が得られている場合、第１操作でチャンネルＦ２（８０６．８７５ＭＨｚ）のワイヤレスマイク４５が選択されて、第２操作でエリア４１（Ｒｂ）が選択される場合、プロセッサ３は次のように動作する。プロセッサ３は、エリア４１（Ｒｂ）との関係で混信が生じる可能性のあると判定（図２８において「×」判定）されているエリア４１（Ｒａ）、エリア４１（Ｒｃ）、エリア４１（Ｒｄ）のいずれかにチャンネルＦ２が割り当てられているか否かを判定する。
【０２０７】
そして、エリア４１（Ｒａ）、エリア４１（Ｒｃ）、エリア４１（Ｒｄ）いずれにもチャンネルＦ２が割り当てられていない場合、かつエリア４１（Ｒｂ）にもチャンネルＦ２が割り当てられていない場合、エリア４１（Ｒｂ）でチャンネルＦ２が使用可能であるためその旨を通知する。一方、エリア４１（Ｒａ）、エリア４１（Ｒｃ）、エリア４１（Ｒｄ）いずれかにチャンネルＦ２が割り当てられていると、エリア４１（Ｒｂ）ではチャンネルＦ２が使用不可であるため、その旨を通知する。
【０２０８】
（Ｓ５−２−２）
第２の態様の他の例を説明する。この例では、プロセッサ３は、混信判定処理Ｓ３で得られた結果を参照して、ルールに基づいて、第１操作により選択されたチャンネルが、第２操作により選択されたエリア４１において使用が許容されるか否かについてユーザに通知する。
【０２０９】
ここでのルールの第１は、選択されたエリア４１とこのエリア４１以外のエリア４１とのエリア４１間において、混信判定処理Ｓ３の結果において互いに混信が生じないと判定されたエリア４１間では同一チャンネルが使用可能であるというルールである。第２は、選択されたエリア４１と他のエリア４１間において互いに混信が生じると判定されたエリア４１間では、同一のチャンネル及び隣接チャンネルの使用が禁止されるというルールである。
【０２１０】
プロセッサ３は、第１操作及び第２操作に応答して、第２操作で選択されたエリア４１において、選択チャンネル及び隣接チャンネル群が割り当て可能か否かを判定する。具体的には、第２操作で選択されたエリア４１との関係で混信が生じる可能性のあるエリア４１（混信判定処理Ｓ３で「×」判定）に、選択チャンネル及び隣接チャンネル群が割り当てられているか否かを判定する。
【０２１１】
この判定が肯定される場合、すなわち、第２操作で選択されたエリア４１との関係で混信が生じる可能性のあるエリア４１に、選択チャンネル及び隣接チャンネルが割り当てられている場合、第２操作で選択されたエリア４１には選択チャンネルは使用不可であるため、その旨を通知する。
【０２１２】
この判定が否定される場合、すなわち、第２操作で選択されたエリア４１との関係で混信が生じる可能性のあるエリア４１に、選択チャンネル及び隣接チャンネルが割り当てられていない場合、かつ第２操作で選択されたエリア４１に選択チャンネルが割り当てられていない場合、第２操作で選択されたエリア４１において選択チャンネルが使用可能であるため、その旨を通知する。通知の態様は、上記５−２−１の場合と同様である。
【０２１３】
例えば、図２８の結果が得られている場合、第１操作でチャンネルＦ２（８０６．８７５ＭＨｚ）のワイヤレスマイク４５が選択されて、第２操作でエリア４１（Ｒｂ）を選択される場合、エリア４１（Ｒｂ）との関係で混信が生じる可能性の高い判定（図２８において「×」判定）がされているエリア４１（Ｒａ）、エリア４１（Ｒｃ）、エリア４１（Ｒｄ）のいずれかにおいて、チャンネルＦ２、及びチャンネルＦ２から３７５ＫＨｚ内（３７５ＫＨｚを含まない。）で存在するチャンネルＡ１、チャンネルＣ１、チャンネルＢ２、チャンネルＤ２のいずれかが割り当てられているか否かを判定する。
【０２１４】
そして、エリア４１（Ｒａ）、エリア４１（Ｒｃ）及びエリア４１（Ｒｄ）のいずれにおいてもチャンネルＦ２、チャンネルＡ１、チャンネルＣ１、チャンネルＢ２、チャンネルＤ２のいずれもが割り当てられていない場合、かつエリア４１（Ｒｂ）にもチャンネルＦ２が割り当てられていない場合、エリア４１（Ｒｂ）でチャンネルＦ２が使用可能であるためその旨を通知する。一方、エリア４１（Ｒａ）、エリア４１（Ｒｃ）、エリア４１（Ｒｄ）のいずれかにおいてチャンネルＦ２、チャンネルＡ１、チャンネルＣ１、チャンネルＢ２、チャンネルＤ２のいずれかが割り当てられていると、エリア４１（Ｒｂ）ではチャンネルＦ２が使用不可であるため、その旨を通知する。
【０２１５】
図４１は、手動チャンネル判定処理Ｓ５（Ｓ５−２）が実行されたときの表示画面２１の一例である。
図４１には、所定エリア４１に所定のチャンネルのワイヤレスマイク４５を追加する例が示されている。表示画面２１の上部には、エリア４１に新たにワイヤレスマイク４５を追加するためのアイコン（追加マイクアイコン５８ａ）が表示される。
【０２１６】
追加マイクアイコン５８ａがドラッグされて所定のエリア４１に配置されると、プロセッサ３は、混信判定処理Ｓ３の結果に基づいて、追加マイクアイコン５８ａのチャンネルが、そのエリア４１で禁止されているチャンネルであるか否かを判定する。禁止されているチャンネルであるときは、混信し得るチャンネルのマイクアイコン５８を点滅させる。図４１は、２階の３つのエリア４１の全てのマイクアイコン５８が点滅する様子が示されている。このような処理によれば、ユーザは、表示画面２１上で、ワイヤレスマイク４５の追加の可否判断を行うことができる。
【０２１７】
以上に説明したように、本実施形態に係るチャンネルシミュレーション装置１は次の効果を奏する。
（１）本実施形態に係るチャンネルシミュレーション装置１は、距離計算用パラメータと、受信強度計算用パラメータとを記憶するメモリ２と、プロセッサ３と備える。プロセッサ３は、距離計算用パラメータ及び受信強度計算用パラメータに基づいて、希望波受信強度と妨害波受信強度とを推定する。
【０２１８】
この構成によれば、複数のエリア４１から選択される２つのエリア４１の各組について希望波受信強度（Ｄ）と妨害波受信強度（Ｕ）とが得られるようになるため、両者の強度差を把握することができる。これにより、熟練した技術者に頼らずとも、ワイヤレスマイク４５のチャンネルプラン６２を形成することができる。
【０２１９】
（２）本実施形態では、プロセッサ３は、複数のエリア４１から選択される２つのエリア４１の各組について、希望波受信強度（Ｄ）と妨害波受信強度（Ｕ）との差分に基づき２つのエリア４１間で混信が生じるか否かのチャンネル判定を行う。この構成によれば、２つのエリア４１間で混信が生じるか否かの情報を得ることができるため、使用可能なチャンネル数を増大させながら、ワイヤレスマイク４５の混信が生じ難いワイヤレスマイク４５のチャンネルプラン６２を形成することができる。
【０２２０】
（３）本実施形態では、プロセッサ３は、混信判定処理Ｓ３の結果（チャンネル判定）に基づき、一または複数のエリア４１に割り当てることができるチャンネルをチャンネル群から選択する。この構成によれば、ユーザは、一または複数のエリア４１に割り当てることができるチャンネルを知ることができる。すなわち、ユーザはチャンネルプラン６２を得ることができる。
【０２２１】
（４）本実施形態では、プロセッサ３は、混信判定処理Ｓ３の結果（チャンネル判定）及びワイヤレスマイク４５の希望個数（個数情報）に基づき、エリア４１に割り当てることができるチャンネルを選択する。この構成によれば、複数のエリア４１に割り当てることができるチャンネルは、エリア４１に設定されたワイヤレスマイク４５の個数が考慮されたものとなる。
【０２２２】
（５）本実施形態では、プロセッサ３は、入力装置がチャンネル群からいずれかのチャンネルを選択する選択操作を受け付けるとき、チャンネル判定に基づき、選択されたチャンネルがエリア４１のうちいずれのエリア４１に割当て可能であるか否かを判定する（Ｓ５−１参照）。この構成によれば、ユーザは、ユーザが選択したチャンネルについて、複数のエリア４１のうちいずれのエリア４１に割当て可能であるか否かを知ることができる。
【０２２３】
（６）本実施形態では、プロセッサ３は、入力装置がチャンネル群からいずれかのチャンネルを選択する第１選択操作及び複数のエリア４１の中からいずれかのエリア４１を選択する第２選択操作を受け付けるとき、チャンネル判定に基づき、選択されたチャンネルが選択されたエリア４１に割当て可能であるか否かを判定する（Ｓ５−２参照）。この構成によれば、ユーザは、ユーザが選択したチャンネルが、ユーザが選択したエリア４１に割当て可能であるか否かを知ることができる。
【０２２４】
（７）本実施形態では、メモリ２は、受信強度計算用パラメータとして、ワイヤレスマイク４５と受信機４６との間の距離に応じた受信強度を導出するための伝播損失パラメータを記憶する。この構成によれば、受信強度計算用パラメータと、ワイヤレスマイク４５と受信機４６との間の距離とに基づいて、受信機４６が送信信号を受けるときの受信強度を簡単に計算することができる。
【０２２５】
（８）本実施形態では、メモリ２は、受信強度計算用パラメータとして、送信信号が障害物内を通過するときの送信信号の信号強度の減衰量を示す、障害物パラメータを記憶する。この構成によれば、ワイヤレスマイク４５の送信信号を受信機４６が受信するときの受信強度を推定する場合において、ワイヤレスマイク４５と受信機４６との間に障害物がある場合に、障害物による送信信号の信号強度の減衰量を簡単に計算することができる。
【０２２６】
（９）本実施形態では、メモリ２は、障害物の材質毎に個別に設定された障害物パラメータを記憶する。この構成によれば、ワイヤレスマイク４５の送信信号の減衰量が、障害物の材質に基づいて計算される。このため、ワイヤレスマイク４５の送信信号の減衰量について、計算により求めた減衰量と、実際の減衰量との差が大きく乖離することが少なくなる。
【０２２７】
（１０）本実施形態では、プロセッサ３は、建物のレイアウト４０を示すレイアウト画像４０ａを表示装置２０に出力し、出力されたレイアウト画像４０ａ内で複数のエリア４１間またはエリア４１内に配置される障害物の範囲または配置を規定する障害物指定操作を受け付ける（図９参照）。また、プロセッサ３は、障害物指定操作により指定された範囲または配置に基づき、障害物の範囲または配置を示す障害物配置パラメータをメモリ２に記憶する。この構成によれば、建物のレイアウト画像４０ａに対する操作に基づいて障害物配置パラメータが導出されるため、ユーザは、障害物配置パラメータを簡単に設定することができる。
【０２２８】
（１１）本実施形態では、プロセッサ３は、建物のレイアウト４０を示すレイアウト画像４０ａを出力し、出力された画像内で複数のエリア４１の範囲または配置を指定する指定操作を受け付け（図８参照）、指定操作により指定された範囲または配置に基づき距離計算用パラメータをメモリ２に記憶する。この構成によれば、建物のレイアウト画像４０ａに対する操作に基づいて距離計算用パラメータが導出されるため、ユーザは、距離計算用パラメータを簡単に設定することができる。
【０２２９】
なお、（１０）及び（１１）において、複数のエリア４１の範囲の指定とは、例えば、第１入力装置３１により、フロアのレイアウト画像４０ａ上に示されたエリア枠５５を移動または伸縮することによりエリア４１の範囲を設定することを示す（図８参照）。これに対して、複数のエリア４１の配置の指定とは、例えば、フロアのレイアウト画像４０ａ上に予め設定された複数のエリア領域から任意のエリア領域を指定し、その指定によりエリア４１の配置を決定することを示す。
【０２３０】
（１２）本実施形態では、プロセッサ３は、希望波受信強度の推定において、一方のエリア４１内で受信機４６の設置が想定される複数の配置ポイントＰＤ毎に、一方のエリア４１内のワイヤレスマイク４５から送信される送信信号を受信機４６が受信するときの受信強度を推定する。そして、プロセッサ３は、推定された複数の受信強度からルールに従って選択された受信強度を希望波受信強度として使用する。プロセッサ３は、妨害波受信強度の推定において、一方のエリア４１内で受信機４６の設置が想定される複数の配置ポイントＰＤ毎に、他方のエリア４１内のワイヤレスマイク４５から送信される送信信号を受信機４６が受信するときの受信強度を推定する。そして、プロセッサ３は、推定された複数の受信強度からルールに従って選択された受信強度を妨害波受信強度として使用する。
【０２３１】
各エリア４１を空間上の点と看做して、希望波受信強度と妨害波受信強度とを推定することができる。この場合、希望波受信強度は定数に設定され、妨害波受信強度は２点間の距離に基づいて計算される。この計算によれば、エリア４１の大きさに関係なく、エリア４１の配置関係だけで、希望波受信強度と妨害波受信強度との比率が決まる。しかし、実際に４１は、エリア４１が大きくなる程、ワイヤレスマイク４５と受信機４６との間の距離の最大距離は大きくなるため、希望波受信強度の範囲（最小値から最大値までの範囲）及び妨害波受信強度の範囲（最小値から最大値までの範囲）は広がる。
【０２３２】
上記構成では、エリア４１内で推定された複数の受信強度のうちのいずれか一つが希望波受信強度として選択される。エリア４１間で推定された複数の受信強度のうちのいずれか一つが妨害波受信強度として選択される。このように、希望波受信強度及び妨害波受信強度は、いくつかの候補から所定ルールに従って選択される。所定ルールの最適化により、希望波受信強度及び妨害波受信強度が実際の値に近づくように調整され得る。
【０２３３】
（１３）本実施形態では、プロセッサ３は、希望波受信強度の推定において、一方のエリア４１内でワイヤレスマイク４５の使用が想定される複数の配置ポイントＰＤ毎に、一方のエリア４１内の受信機４６がワイヤレスマイク４５から送信される送信信号を受信するときの受信強度を推定する。そして、プロセッサ３は、推定された複数の受信強度からルールに従って選択された受信強度を希望波受信強度として使用する。プロセッサ３は、妨害波受信強度の推定において、一方のエリア４１内でワイヤレスマイク４５の使用が想定される複数の配置ポイントＰＤ毎に、他方のエリア４１内の受信機４６がワイヤレスマイク４５から送信される送信信号を受信するときの受信強度を推定する。そして、プロセッサ３は、推定された複数の受信強度からルールに従って選択された受信強度を妨害波受信強度として使用する。この構成によって、上記（１２）に示した理由と同様の理由により、所定ルールの最適化により、希望波受信強度及び妨害波受信強度が実際の値に近づくように調整され得る。
【０２３４】
（１４）本実施形態では、プロセッサ３は、希望波受信強度の推定において、一方のエリア４１内で、ワイヤレスマイク４５の複数の配置ポイントＰＤと、受信機４６の複数の配置ポイントＰＤとの組み合わせの全てについて受信強度を推定する。そして、プロセッサ３は、推定された複数の受信強度からルールに従って選択された受信強度（例えば最小の受信強度）を一方のエリア４１の希望波受信強度として使用する。プロセッサ３は、妨害波受信強度の推定において、一方のエリア４１内で受信機４６の複数の配置ポイントＰＤと、他方のエリア４１内でワイヤレスマイク４５の複数の配置ポイントＰＤとの組み合わせの全てについて受信強度を推定する。そして、プロセッサ３は、推定された複数の受信強度からルールに従って選択された受信強度（最大の受信強度）を一方のエリア４１の妨害波受信強度として使用する。この構成によって、上記（１２）に示した理由と同様の理由により、所定ルールの最適化により、希望波受信強度及び妨害波受信強度が実際の値に近づくように調整され得る。
【０２３５】
（１５）チャンネルシミュレーション装置１の作用は、プログラムによって実現され得る。例えば、チャンネルシミュレーションプログラムは、コンピュータに第１処理と第２処理とを実行させるためのコンピュータ可読指令を含む。第１処理は、コンピュータに、メモリ２から、距離計算用パラメータと、受信強度計算用パラメータとを読み出させる処理である。第２処理は、コンピュータに、距離計算用パラメータ及び受信強度計算用パラメータに基づいて、希望波受信強度と妨害波受信強度とを推定させる処理である。
【０２３６】
このチャンネルシミュレーションプログラムによれば、複数のエリア４１から選択される２つのエリア４１の各組について希望波受信強度と妨害波受信強度とが得られるようになるため、両者の強度差を把握することができる。従って、チャンネルシミュレーションプログラムを使用することにより、熟練した技術者に頼らずとも、ワイヤレスマイク４５のチャンネルプラン６２を形成することができる。
【０２３７】
（その他の実施形態）
・本実施形態では、各エリア４１のワイヤレスマイク４５にチャンネルを割り当てるとき、周波数が小さいチャンネル順にチャンネルを割り当てているが、グループ順かつグループ内の周波数が小さいチャンネル順に、チャンネルを割り当てることもできる。
【０２３８】
・本実施形態では、各フロアの間にはコンクリートのフロア壁４２があることを前提としているが、チャンネルシミュレーション装置１は、フロア壁４２の材質がユーザにより設定することができるように、構成されうる。
【０２３９】
・本実施形態では、希望波受信強度及び妨害波受信強度を計算する際に、受信機４６とワイヤレスマイク４５とを２７個の配置ポイントＰＤにそれぞれ配置するが、配置ポイントＰＤの設定はこれに限定されない。例えば、配置ポイントＰＤを更に増やすこともできる。また、シミュレーションに要する時間の短縮のために、各エリア４１に２つだけ配置ポイントＰＤを設け、一方に受信機４６を他方にワイヤレスマイク４５を配置して、希望波受信強度及び妨害波受信強度を計算してもよい。
【０２４０】
・本実施形態では、希望波受信強度及び妨害波受信強度を計算する際に、エリア４１の大きさに関係なく、受信機４６とワイヤレスマイク４５とを２７個の配置ポイントＰＤにそれぞれ配置するが、エリア４１の大きさに応じて配置ポイントＰＤの個数を増減させてもよい。
【０２４１】
・メモリ２はレイアウト４０およびエリア４１を一または複数の３次元マップとして、すなわち、３次元フロアとして記憶することが好ましいが、一または複数の２次元マップすなわち２次元フロアとして記憶してもよい。メモリ２は、不揮発性メモリであることが好ましいが、揮発性メモリであってもよい。メモリ２は、半導体記憶装置であることが好ましいが、光学ディスク、磁気ディスク、光磁気ディスク、ハードディスクドライブ等であり得るデジタルストレージ装置であってもよい。
【０２４２】
・本明細書でのプログラムの参照は、１つもしくは複数のソフトウェア、１つもしくは複数のアプリケーション、１つもしくは複数のコンピュータ可読命令、及び／または１つもしくは複数のコンピュータ可読コードを包含し得る。本明細書でのプログラムは、１つまたは複数のコンピュータ可読記録媒体に格納され得る。いくつかの実施形態では、コンピュータ可読記録媒体は、プロセッサ３によってアクセス可能なメモリ２であってよく、プロセッサ３によってアクセス可能なデジタルストレージ装置であってよく、プロセッサ３の内部レジスタまたはキャッシュであってよく、またはそれらの組合せであってよい。
【０２４３】
・本発明がその技術的思想から逸脱しない範囲で他の特有の形態で具体化されてもよいということは当業者にとって明らかであろう。たとえば、実施形態（あるいはその１つまたは複数の態様）において説明した部品および要素のうちの一部を省略したり、いくつかの部品および要素を組合せたりしてもよい。
【符号の説明】
【０２４４】
１…チャンネルシミュレーション装置、２…メモリ、３…プロセッサ、４…出力インターフェイス（Ｉ／Ｏ）、５…第１入力インターフェイス、６…第２入力インターフェイス、７…第３入力インターフェイス、８…タッチパネル付き表示装置、９…ケース、２０…表示装置、２１…表示画面、３１…第１入力装置、３２…第２入力装置、３３…第３入力装置、３４…通信回線網、４０…レイアウト、４０ａ…レイアウト画像、４１…エリア、４１ｘ…計算対象エリア、４１ｙ…エリア、４１Ａ…エリア、４１Ｂ…エリア、４１ＡＭ…使用推定範囲、４１ＢＭ…使用推定範囲、４１Ｍ…使用推定範囲、４１ＡＲ…設置推定範囲、４１ＢＲ…設置推定範囲、４１Ｒ…設置推定範囲、４２…フロア壁、４３…仕切壁、４４…吹き抜け、４５…ワイヤレスマイク、４６…受信機、５０…スケーラ、５１…第１入力枠、５２…第２入力枠、５３…第１位置決めポインタ、５４…第２位置決めポインタ、５５…エリア枠、５６…仕切壁枠、５７…吹き抜け枠、５８…マイクアイコン、５８ａ…追加マイクアイコン、５９…レシーバアイコン、６０…矢印アイコン、６１…チャンネル表、６２…チャンネルプラン、５５５…アンカ、５５６…エリア枠、６５５…アンカ、６５６…エリア枠、ＬＡ…離間距離、ＰＤ…配置ポイント。
【図１】
2016189587.tif 000003
【図２】
2016189587.tif 000004
【図３】
2016189587.tif 000005
【図４】
2016189587.tif 000006
【図５】
2016189587.tif 000007
【図６】
2016189587.tif 000008
【図７】
2016189587.tif 000009
【図８】
2016189587.tif 000010
【図９】
2016189587.tif 000011
【図１０】
2016189587.tif 000012
【図１１】
2016189587.tif 000013
【図１２】
2016189587.tif 000014
【図１３】
2016189587.tif 000015
【図１４】
2016189587.tif 000016
【図１５】
2016189587.tif 000017
【図１６】
2016189587.tif 000018
【図１７】
2016189587.tif 000019
【図１８】
2016189587.tif 000020
【図１９】
2016189587.tif 000021
【図２０】
2016189587.tif 000022
【図２１】
2016189587.tif 000023
【図２２】
2016189587.tif 000024
【図２３】
2016189587.tif 000025
【図２４】
2016189587.tif 000026
【図２５】
2016189587.tif 000027
【図２６】
2016189587.tif 000028
【図２７】
2016189587.tif 000029
【図２８】
2016189587.tif 000030
【図２９】
2016189587.tif 000031
【図３０】
2016189587.tif 000032
【図３１】
2016189587.tif 000033
【図３２】
2016189587.tif 000034
【図３３】
2016189587.tif 000035
【図３４】
2016189587.tif 000036
【図３５】
2016189587.tif 000037
【図３６】
2016189587.tif 000038
【図３７】
2016189587.tif 000039
【図３８】
2016189587.tif 000040
【図３９】
2016189587.tif 000041
【図４０】
2016189587.tif 000042
【図４１】
2016189587.tif 000043
【国際調査報告】
2016189587.tif 000044
2016189587.tif 000045